(57)【要約】【課題】  プリンタの色再現範囲をポジフィルムの色再現範囲により近づけるためには、特色の記録剤を他色の記録剤と同じように加えるだけでは足りず、特に、ポジフィルムの色再現範囲との隔たりが大きな特色についてはその発色特性を考慮し他色の記録剤とは異なる打ち込み量とする必要がある。【解決手段】  シアン、マゼンタおよびイエローの基本色の記録剤と、これら基本色とは色相が異なる特色の記録剤とを用いて記録媒体に画像を形成するに際し、少なくとも１つの特色の記録剤の単位領域あたりの最大付与量を基本色の記録剤の付与量よりも多くする。【選択図】  図１３
2005212360.tif 000002
【特許請求の範囲】
【請求項１】
シアン、マゼンタおよびイエローの基本色の記録剤と、前記基本色とは色相が異なる所定の特色の記録剤とを用いて記録媒体に画像を形成する画像形成方法であって、
前記所定の特色記録剤を用いて表現可能な所定の色を形成する場合に、前記基本色記録剤について定められる、前記記録媒体上の単位領域あたりの最大付与量を超えて前記所定の特色記録剤を付与することを特徴とする画像形成方法。
【請求項２】
前記所定の特色記録剤が示す色相角を挟む２つの基本色により表現可能な所定の色相の最大彩度を示す色を形成するときに、前記所定の特色記録剤の付与量が前記基本色記録剤について定められる最大付与量を超えることを特徴とする請求項１に記載の画像形成方法。
【請求項３】
前記最大彩度を示す色を形成する際には、前記所定の特色記録剤の他に、前記２つの基本色を使用することを特徴とする請求項２に記載の画像形成方法。
【請求項４】
シアン、マゼンタおよびイエローの基本色の記録剤と、前記基本色とは色相が異なる所定の特色の記録剤とを用いて記録媒体に画像形成を行う画像形成方法であって、
多値のＲＧＢデータに対し所定の画像処理の施すことで、前記画像形成に使用される記録剤に対応した２値のデータを生成する工程と、
前記生成された２値データに基づいて前記記録剤を前記記録媒体に付与する工程とを有し、
前記生成工程では、前記所定の特色記録剤が示す色相角を挟む２つの基本色により表現可能な色相を示す所定の色について、前記所定の特色記録剤の付与量が前記基本色記録剤について定められる最大付与量よりも多くなるよう、前記２値データの生成を行うことを特徴とする画像形成方法。
【請求項５】
前記所定の特色記録剤は、前記基本色の記録剤のうちの任意の２つの記録剤の組み合わせにより記録媒体上に表現される色再現領域よりも高い明度または彩度の少なくとも一方について表現でき、且つ前記任意の２つの記録剤の組み合わせにより表現される色再現領域内の色相角を示すものであることを特徴とする請求項１乃至４のいずれかに記載の画像形成方法。
【請求項６】
前記所定の特色記録剤は、前記シアンおよびイエローの２つの記録剤の組み合わせにより表現される色再現領域内の色相角を示すグリーンの記録剤、前記マゼンタおよびイエローの２つの記録剤の組み合わせにより表現される色再現領域内の色相角を示すレッドの記録剤、前記シアンおよびマゼンタの２つの記録剤の組み合わせにより表現される色再現領域内の色相角を示すブルーの記録剤の群から選ばれる少なくとも１つであることを特徴とする請求項１乃至５のいずれかに記載の画像形成方法。
【請求項７】
前記基本色とは色相が異なる特色記録剤として、前記所定の特色記録剤の他に、当該所定の特色記録剤とは色相が異なる他の特色記録剤を含み、
前記他の特色記録剤の最大付与量は前記所定の特色記録剤の最大付与量よりも少なく定められていることを特徴とする請求項１乃至５のいずれかに記載の画像形成方法。
【請求項８】
前記他の特色記録剤の最大付与量は、前記基本色の記録剤の最大付与量と同一に定められていることを特徴とする請求項７に記載の画像形成方法。
【請求項９】
前記所定の特色記録剤は、前記シアンおよびイエローの２つの記録剤の組み合わせにより表現される色再現領域内の色相角を示すグリーンの記録剤を含み、
前記他の特色記録剤は、前記マゼンタおよびイエローの２つの記録剤の組み合わせにより表現される色再現領域内の色相角を示すレッドの記録剤を含むことを特徴とする請求項７または８に記載の画像形成方法。
【請求項１０】
少なくとも、シアンおよびイエローの記録剤と、ＣＩＥ−Ｌ＊ａ＊ｂ＊色空間において、前記シアンおよびイエローの記録剤の組み合わせにより表現される色再現領域内の色相角を示すグリーンの記録剤とを用いて記録媒体に画像を形成する画像形成方法であって、
前記シアンおよびイエローの記録剤の組み合わせにより表現される色相を示す所定の色を形成するに際し、前記シアンおよびイエローの記録剤それぞれについて定められる、前記記録媒体上の単位領域あたりの最大付与量を超えて、前記グリーンの記録剤を付与することを特徴とする画像形成方法。
【請求項１１】
シアン、マゼンタおよびイエローの基本色の記録剤と、前記３つの基本色のうちの任意の２色の組み合わせにより表現される色再現領域内の色相角を示す特色の記録剤とを用いて記録媒体に画像を形成するのに使用される画素データを生成するための画像処理方法であって、
１画素に対応するＲＧＢデータに基づき、当該１画素の形成に使用される記録剤に対応した画素データを生成する工程を有し、
前記生成工程では、前記３つの基本色記録剤のうちの所定の２つの基本色記録剤の組み合わせにより表現可能な所定の色相の最大彩度を示す色に対応した画素データを生成するに際し、前記所定の２つの基本色記録剤の組み合わせにより表現される色再現領域内の色相角を示す所定の前記特色記録剤の付与量が前記基本色記録剤の最大付与量よりも多くなるよう、前記所定の特色記録剤に対応したデータを含む画素データを生成することを特徴とする画像処理方法。
【請求項１２】
シアン、マゼンタおよびイエローの基本色の記録剤に対応したデータ、および当該基本色とは色相が異なる所定の特色の記録剤に対応したデータを生成するための画像処理方法であって、
前記所定の特色記録剤を用いて表現される所定の色を表すためのデータを生成するにあたり、前記所定の特色記録剤の付与量が前記基本色記録剤の最大付与量よりも多くなるよう、前記所定の特色記録剤に対応したデータを生成することを特徴とする画像処理方法。
【請求項１３】
シアン、マゼンタおよびイエローの基本色の記録剤に対応したデータ、および当該３つの基本色のうちの所定の２つの基本色の組み合わせにより表現される色再現領域内の色相角を示す所定の特色の記録剤に対応したデータを生成するための画像処理方法であって、
前記所定の特色記録剤が示す色相角を挟む前記所定の２つの基本色により表現可能な所定の色相の最大彩度を示す色を表すためのデータを生成するに際し、前記所定の特色記録剤の付与量が前記基本色記録剤の最大付与量よりも多くなるよう、前記特色の記録剤に対応したデータを生成することを特徴とする画像処理方法。
【請求項１４】
請求項１１乃至１３のいずれかに記載された画像処理方法を実行するための画像処理部と、
前記画像処理部にて生成されたデータに基づいて、インクジェット記録ヘッドから記録剤を付与させる付与手段と、
を有することを特徴とするインクジェット記録装置。
【発明の詳細な説明】
【技術分野】
【０００１】
本発明は画像形成方法、画像処理方法およびインクジェット記録装置に関し、詳しくは、記録剤として基本色とは色相の異なる特色の記録剤が用いられる場合の画像形成方法、画像処理方法およびインクジェット記録装置に関するものである。
【背景技術】
【０００２】
近年来のパーソナルコンピュータ等情報処理機器の普及に伴い、画像形成端末としての記録装置も急速に発展および普及してきた。そして種々の記録装置の中でも、吐出口からインクを吐出させて紙、布、プラスチックシート、ＯＨＰ用シートなどの記録媒体上に記録を行うインクジェット記録装置は、低騒音のノンインパクト型の記録方式であること、高密度かつ高速な記録動作が可能であること、カラー記録にも容易に対応できること、低廉であることなど、極めて優れた特長を有しており、今やパーソナルユースの記録装置の主流となっている。
【０００３】
インクジェット記録装置においては、基本的には印刷の三原色であるイエロー、マゼンタおよびシアンのインクを用い、減法混色による色再現が行われていた。すなわち、例えばイエローとマゼンタとの混色によりオレンジないしレッド領域、イエローとシアンとの混色によりグリーン領域、マゼンタとシアンとの混色によりブルーないしバイオレット領域の画像を形成することが可能となるものである。
【０００４】
インクジェット記録技術の進歩は記録の高解像化、高画質化、カラー化、低廉化を促進し、またパーソナルコンピュータやデジタルカメラ（単体でその機能を果たすもののほか、その他の装置、例えば携帯型電話に一体化されるものも含む）の普及とも相俟って、パーソナルユーザにまで記録装置を普及させる効果に寄与すること大であった。しかしそのような広範な普及により、パーソナルユーザからも画質のより一層の向上が求められるようになってきており、これに応えるために、種々の改善が施されてきている。
【０００５】
例えば、上記三原色のインクに加えブラックのインクを用いる一方、イエロー、マゼンタおよびシアン各色のデータＹ、ＭおよびＣから黒成分Ｋを抽出してブラックに置き換え、さらには置き換えた分のＣ，Ｍ，Ｙの色成分を除去するＵＣＲ処理を行うことにより、コントラスト性の向上ないし中性色の安定再現を図るものもその一つである。また、イエロー、マゼンタおよびシアンさらにはブラックのインクのほか、薄いシアン（ライトシアン）や薄いマゼンタ（ライトマゼンタ）などのインクを用いることで、インクが記録媒体に着弾して形成されるドットの粒状感を低減するとともに、階調性を向上させるものもある。さらに、特許文献６及び特許文献７では、ライトシアンおよびライトマゼンタについて、その他のインク色よりも多くの階調数を割り当てることで、ライトインクの使用によって得られるハイライト部における粒状感低減に加えて、濃淡インクが混在する中濃度部においても粒状感の低減を図る技術が開示されている。しかし、イエロー、マゼンタおよびシアンの３色（もしくはさらにブラックを加えた４色）のインク、またはさらにそれらの同系色である淡インクを用いた色再現には限界があるので、これら以外の色のインクを用いる提案がなされている。
【０００６】
例えば印刷や捺染などの産業分野では、「特色」と称される色のインクが用いられることがある。しかしこれは、大量製造される特定の画像のうちの特定の色（例えば金属色やコバルトブルーその他の上記４色またはその同系色では表現不能もしくは困難な色）を表現するのに専ら用いられるもので、汎用性を主眼としたものではない。
【０００７】
これに対し、広範な画像形成に対応するものとして、上記イエロー、マゼンタおよびシアンに加え、色相空間においてそれぞれの中間の色相角を持つレッド、グリーン、ブルーのインクなどを用いて発色性を高め、色再現域を拡張する提案もなされている。
【０００８】
例えば、特許文献１では、プリンタ等で色域を拡げて正確度が高く、かつ高画質な画像に色再現することを目的として、テレビ画像信号ＲＣＲＴ，ＧＣＲＴ，ＢＣＲＴを、３次元ＬＵＴ（ルックアップテーブル）によりＣ’，Ｍ’，Ｙ’に色変換した後、演算器により予め決定された３変数を用いた振り分け関数により、６原色データＣ，Ｍ，Ｙ，Ｒ，Ｇ，Ｂに振り分け、その６色の記録剤で記録を行う技術が開示されている。
【０００９】
また、特許文献２では、色再現領域を拡大することを一つの目的として、色相空間上、ＹとＭとの中間領域にあるオレンジのインクおよびイエローとシアンとの中間領域にあるグリーンのインクを用いる技術が開示されている。
【００１０】
さらに特許文献３も、色再現領域を拡大することを目的として、色相空間上、ＹとＭとの中間領域にあるオレンジのインク、イエローとシアンとの中間領域にあるグリーンのインク、およびマゼンタとシアンとの中間領域にあるバイオレットのインクを用いることを開示している。
【特許文献１】特開平１１−６９１７６号公報
【特許文献２】特開２００１−１３８５５２号公報
【特許文献３】特開２００３−３４６７５号公報
【特許文献４】特開２００２−０６９３４８号公報
【特許文献５】国際公開ＷＯ００／４３４５１号公報
【特許文献６】特開２００３−３９７１１号公報
【特許文献７】特開２００３−８０６８２号公報
【特許文献８】特開２００２−３３９３０号公報
【発明の開示】
【発明が解決しようとする課題】
【００１１】
さて、記録装置の広範な普及が画質向上の要望を生み、これに応えるべく施された改善によって新たな需要が喚起され、さらにそれによって一層の画質向上が要望されるという連鎖に鑑みれば、写真画質を大きく超える画質も求められるようになるのは明らかであると考えられる。
【００１２】
写真画質を大きく超える画質を達成する上で、鮮やかさ、透明感および立体感を再現することが極めて有効であり、そのためにはポジティブフィルムに形成された画像に近づけることが１つの方向性である。ポジティブフィルムに形成された画像は、裏から光を透過させることで人の視覚に作用する透過画像であるために、透明感と立体感とが知覚されるものであると考えられる。そして、透過画像と同等の透明感と立体感とを視覚に訴える画質を反射画像で実現することが、画質をより一層向上する上で有効であると考えた。
【００１３】
そこで、まず本発明者らは、ポジティブフィルムに形成された画像と、色再現領域の広いプリンタで形成した画像との比較を行った。その一例を次に説明する。
【００１４】
図１は、インクジェット記録装置およびポジティブフィルムのＧａｍｕｔをＣＩＥ−Ｌ＊ａ＊ｂ＊のａ＊ｂ＊平面上にプロットした図である。同図において、実線で囲みソリッドで示されたものがインクジェットプリンタのＧａｍｕｔであり、ポイントで示されたものがポジティブフィルムのＧａｍｕｔを示している。同図から明らかなように、ＹからＲの領域、Ｇ領域、そして、Ｂの領域において、ポジティブフィルムのＧａｍｕｔがインクジェットプリンタのＧａｍｕｔより大きくなっていることがわかる。
【００１５】
図２（ａ）および（ｂ）は、図１のＧａｍｕｔデータの算出態様を説明するための図である。同図（ａ）において、ポジティブフィルムのＧａｍｕｔデータは、山岳写真（夕日）、風景（海、山）、花、魚類、鳥類、蝶類、民族衣装、そしてコンピュータグラフィックの８カテゴリから計８４点のポジティブフィルムをスキャンして得られたデータである。ここで、スキャナとしてＨｉｄｅｌｂｅｒｇ社製のＮｅｘｓｃａｎ  Ｆ４２００を用い、使用した色空間はＷｉｄｅ  Ｇａｍｕｔ  ＲＧＢである。Ｗｉｄｅ  Ｇａｍｕｔ  ＲＧＢとは、白色点がＤ５０で、ＲＧＢ三原色のｘｙ色度座標の値は、Ｒが（０．７３，０．２７）、Ｇが（０．１２，０．８３）、Ｂが（０．１６，０．０２）である。このＷｉｄｅ  Ｇａｍｕｔ  ＲＧＢからＸＹＺへの変換式は、
Ｘ＝０．７１６５×Ｒ＋０．１０１０×Ｇ＋０．１４６８×Ｂ
Ｙ＝０．２５８７×Ｒ＋０．７２４７×Ｇ＋０．０１６６×Ｂ
Ｚ＝０．００００×Ｒ＋０．０５１２×Ｇ＋０．７７３９×Ｂ
である。このＸＹＺからＬ＊ａ＊ｂ＊への変換式は、ＣＩＥで規定されているものを用いた。
【００１６】
また、同図（ｂ）のインクジェット記録装置のＧａｍｕｔデータの算出にあたっては、記録装置としてキヤノン（株）社製ＰＩＸＵＳ９５０ｉを用いて同社製の記録紙ＰＲ−１０１にカラーパッチを印刷したものを、Ｇｒｅｔａｇ  Ｍａｃｂｅｔｈ社製Ｓｐｅｃｔｒｏ  Ｌｉｎｏを用いて測色した。なお、ここに使用したプリンタは、イエロー、マゼンタ、シアンおよびブラックにライトシアンおよびライトマゼンタを加えて画像形成を行うものであり、そのＧａｍｕｔは上記図２（ａ）に示したいわゆる銀塩写真のポジティブフィルム（以下、単にポジフィルムとも称する）から得た記録物のＧａｍｕｔより小さい。図１から明らかなように、特に、レッド，グリーン、ブルー等の特色の領域での色再現範囲が足りない。
【００１７】
そこで、上述した特色の記録剤（ここでは、レッドインク，グリーンインク）を他の色の記録剤（例えば、イエロー、マゼンタ、シアン、ブラック）と同じ打ち込み量で加えて色再現を行ってみた。すると、レッド、グリーン領域においては色再現範囲が広がるものの、ポジフィルムの色再現範囲には及ばず、また、ポジフィルムの色再現範囲との隔たりが色ごとに異なっていた。実験によれば、レッド領域よりもグリーン領域について上記隔たりが大きった。ポジフィルムの色再現範囲には及ばないまでも、この色再現範囲により近づくよう工夫する必要がある。
【００１８】
以上のことから、プリンタの色再現範囲をポジフィルムの色再現範囲により近づけるためには、特色の記録剤を他色の記録剤と同じように加えるだけでは足りず、特に、ポジフィルムの色再現範囲との隔たりが大きな特色についてはその特性を考慮し他色の記録剤とは異なる打ち込み量とする必要がある。
【００１９】
このように本発明者らは、ポジティブフィルムに形成された画像を指針とし、インクジェット記録装置において適切にａ＊ｂ＊平面上で色再現領域を拡張し、かつ透明感および立体感の再現性の高い画質を実現してゆくためには、色再現範囲を広げるための特色インクを他色インクと同様に加えるだけでは足りず、特色記録剤に適した最適な画像設計（ここで、画像設計とは、適切な特性（明度や彩度）を有する特色記録剤の選定や、その特色記録剤の特性を活かした最適な画像処理、ドット配置処理等を含む）を行うことが有効であると認識するに至った。
【００２０】
以上に鑑みて、本発明は、特色記録剤を用いた最適な画像設計（ここでいう画像設計とは、適切な特性（明度や彩度）を有する特色記録剤の選定や、その特色記録剤の特性を活かした最適な画像処理、ドット配置処理等を含む）を行うことによって、ポジティブフィルム画像のように写実性が高く、鮮やかさ、粒状感に優れた画像の記録、すなわち写真画質と同等あるいはそれ以上の画質の記録を可能とすることを目的とする。
【００２１】
また、本発明は、特色の記録剤の発色特性を考慮し、特色の記録剤を他色の記録剤と同じように加えたときに得られる色再現範囲よりも、更なる高彩度の色再現を可能とする画像形成方法、画像処理方法およびインクジェット記録装置を提供することを他の目的としている。
【課題を解決するための手段】
【００２２】
本発明は、シアン、マゼンタおよびイエローの基本色の記録剤と、前記基本色とは色相が異なる所定の特色の記録剤とを用いて記録媒体に画像を形成する画像形成方法であって、前記所定の特色記録剤を用いて表現可能な所定の色を形成する場合に、前記基本色記録剤について定められる、前記記録媒体上の単位領域あたりの最大付与量を超えて前記所定の特色記録剤を付与することを特徴とする。
【００２３】
ここで、前記所定の特色記録剤が示す色相角を挟む２つの基本色により表現可能な所定の色相の最大彩度を示す色を形成するときに、前記所定の特色記録剤の付与量が前記基本色記録剤について定められる最大付与量を超えることが好ましい。更に、前記最大彩度を示す色を形成する際には、前記所定の特色記録剤の他に、前記２つの基本色を使用することが好ましい。
【００２４】
また、本発明は、シアン、マゼンタおよびイエローの基本色の記録剤と、前記基本色とは色相が異なる所定の特色の記録剤とを用いて記録媒体に画像形成を行う画像形成方法であって、多値のＲＧＢデータに対し所定の画像処理を施することで、前記画像形成に使用される記録剤に対応した２値データを生成する工程と、前記生成された２値データに基づいて前記記録剤を前記記録媒体に付与する工程とを有し、前記生成工程では、前記所定の特色記録剤が示す色相角を挟む２つの基本色により表現可能な色相を示す所定の色について、前記所定の特色記録剤の付与量が前記基本色記録剤について定められる最大付与量よりも多くなるよう、前記２値データの生成を行うことを特徴とする。
【００２５】
ここで、前記所定の特色記録剤は、前記基本色の記録剤のうちの任意の２つの記録剤の組み合わせにより記録媒体上に表現される色再現領域よりも高い明度または彩度の少なくとも一方について表現でき、且つ前記任意の２つの記録剤の組み合わせにより表現される色再現領域内の色相角を示すものであることが好ましい。
【００２６】
また、前記所定の特色記録剤は、前記シアンおよびイエローの２つの記録剤の組み合わせにより表現される色再現領域内の色相角を示すグリーンの記録剤、前記マゼンタおよびイエローの２つの記録剤の組み合わせにより表現される色再現領域内の色相角を示すレッドの記録剤、前記シアンおよびマゼンタの２つの記録剤の組み合わせにより表現される色再現領域内の色相角を示すブルーの記録剤の群から選ばれる少なくとも１つであることが好ましい。
【００２７】
また、特色記録剤として、前記所定の特色記録剤の他に、当該所定の特色記録剤とは色相が異なる他の特色記録剤を含み、前記他の特色記録剤の最大付与量は前記所定の特色記録剤の最大付与量よりも少なく定められていることが好ましい。更には、前記他の特色記録剤の最大付与量は、前記基本色記録剤の最大付与量と同一に定められていることが好ましい。更に加えると、前記所定の特色記録剤は、前記シアンおよびイエローの２つの記録剤の組み合わせにより表現される色再現領域内の色相角を示すグリーンの記録剤を含み、前記他の特色記録剤は、前記マゼンタおよびイエローの２つの記録剤の組み合わせにより表現される色再現領域内の色相角を示すレッドの記録剤を含むことが好ましい。
【００２８】
また、本発明は、少なくとも、シアンおよびイエローの記録剤と、ＣＩＥ−Ｌ＊ａ＊ｂ＊色空間において、前記２つの記録剤の組み合わせにより表現される色再現領域内の色相角を示すグリーンの記録剤とを用いて記録媒体に画像を形成する画像形成方法であって、
前記シアンおよびイエローの記録剤の組み合わせにより表現される色相を示す所定の色を形成するに際し、前記シアンおよびイエローの記録剤について定められる、前記記録媒体上の単位領域あたりの最大付与量を超えて、前記グリーンの記録剤を付与することを特徴とする。
【００２９】
また、本発明は、シアン、マゼンタおよびイエローの基本色の記録剤と、前記３つの基本色のうちの任意の２色の組み合わせにより表現される色再現領域内の色相角を示す特色の記録剤とを用いて記録媒体に画像を形成するのに使用される画素データを生成するための画像処理方法であって、１画素に対応するＲＧＢデータに基づき、前記画像形成に使用される記録剤に対応した画素データを生成する工程を有し、前記生成工程では、前記３つの基本色記録剤のうちの所定の２つの基本色記録剤の組み合わせにより表現可能な所定の色相の最大彩度を示す色に対応した画素データを生成するに際し、前記所定の２つの基本色記録剤の組み合わせにより表現される色再現領域内の色相角を示す所定の前記特色記録剤の付与量が前記基本色記録剤の最大付与量よりも多くなるよう、前記所定の特色記録剤に対応したデータを含む画素データを生成することを特徴とする画像処理方法。
【００３０】
また、本発明は、シアン、マゼンタおよびイエローの基本色の記録剤に対応したデータ、および当該基本色とは色相が異なる所定の特色の記録剤に対応したデータを生成するための画像処理方法であって、前記所定の特色記録剤を用いて表現される所定の色を表すためのデータを生成するにあたり、前記所定の特色記録剤の付与量が前記基本色記録剤の最大付与量よりも多くなるよう、前記所定の特色記録剤に対応したデータを生成することを特徴とする。
【００３１】
また、本発明は、シアン、マゼンタおよびイエローの基本色の記録剤に対応したデータ、および当該基本色記録剤のうちの所定の２つの記録剤の組み合わせにより表現される色再現領域内の色相角を示す所定の特色の記録剤に対応したデータを生成するための画像処理方法であって、前記所定の特色記録剤が示す色相角を挟む前記所定の２つの記録剤により表現可能な所定の色相の最大彩度を示す色を表すためのデータを生成するに際し、前記所定の特色記録剤の付与量が前記基本色記録剤の最大付与量よりも多くなるよう、前記特色の記録剤に対応したデータを生成することを特徴とする。
【００３２】
また、本発明は、請求項１１乃至１３のいずれかに記載された画像処理方法を実行するための画像処理部と、前記画像処理部にて生成されたデータに基づいて、インクジェット記録ヘッドから記録剤を付与させる付与手段と、を有することを特徴とするインクジェット記録装置である。
【発明の効果】
【００３３】
本発明によれば、特色の記録剤を用いた色再現範囲をポジフィルムの色再現範囲により近づけることができ、ポジフィルム画像のような鮮やかさに優れた画像を得ることができる。
【００３４】
また、本発明によれば、高発色が期待される特色の記録剤を他色の記録剤と同じように加えたときに得られる色再現範囲よりも更なる高彩度の色再現が可能となる。
【発明を実施するための最良の形態】
【００３５】
（人間の視覚特性に即した色空間）
本明細書では、色再現域の比較や、色相の決定に際して、人間の視覚特性に即した色空間としてＣＩＥ−Ｌ＊ａ＊ｂ＊空間を使用しているが、これに限られるものではなく、ＸＹＺ、ＣＩＥ−Ｌ＊ａ＊ｂ＊、Ｌ＊ｕ＊ｖ＊、マンセル表色系、Ｙｘｙ、Ｌ＊Ｃ＊ｈ＊などの任意の色空間を使用することができる。本明細書内に記載されているＣＩＥ−Ｌ＊ａ＊ｂ＊色空間によって既定されている部分については、勿論上記ＣＩＥ−Ｌ＊ａ＊ｂ＊色空間以外の色空間を用いて既定することも可能である（特色）。
【００３６】
以下、図面を参照して本発明の実施形態を詳細に説明する。
【００３７】
本明細書において「特色」とは、広義には、基本色の記録剤であるイエロー、マゼンタ、シアンの色相とは異なる色のことを指す。また、狭義には、ＣＩＥ−Ｌ＊ａ＊ｂ＊色空間において、マゼンタ、イエロー、シアンの基本色の記録剤のうちの任意の２つの記録剤の組み合わせにより記録媒体上に表現される色再現領域よりも高い明度または彩度の少なくとも一方を表現でき、且つ上記任意の２つの記録剤の組み合わせにより表現される色再現領域内の色相角を示す色のことを指すか、あるいは、ＣＩＥ−Ｌ＊ａ＊ｂ＊色空間において、マゼンタ、イエロー、シアンの基本色の記録剤のうちの任意の２つの記録剤の組み合わせにより記録媒体上に表現される色再現領域よりも高い明度および彩度を表現でき、且つ上記任意の２つの記録剤の組み合わせにより表現される色再現領域内の色相角を示す色のことを指す。
【００３８】
本発明では、上述した狭義の意味の「特色」の記録剤を使用することが好ましいが、広義の意味の「特色」の記録剤を使用することもできる。
【００３９】
（打ち込み量）
本明細書において、「打ち込み量」とは、単色のインクによって単位領域（例えば、１画素に対応した領域）あたりに付与されるインク付与量のことを表す。総打ち込み量とは色分解テーブルに応じて使用されるインク種すべてでの打ち込み量の総量のことをあらわす。なお、（インク）デューティー、（インク）付与量、（インク）塗布量なども同義に用いられる。
【００４０】
＜第１の実施形態＞
（プリントシステム概要）
図３は、本発明の第１の実施形態にかかるプリントシステムの構成を示すブロック図である。本実施形態のプリンタは、シアン、マゼンタ、イエロー、ブラックの基本色インクと、ライトシアン、ライトマゼンタの淡インク、レッド、グリーンの特色インクによって印刷を行うものであり、そのためにこれら８色のインクを吐出する記録ヘッドが用いられる。図３に示すように、本実施形態のプリントシステムは、この特色インクを用いる記録装置としてのプリンタとホスト装置としてのパーソナルコンピュータ（ＰＣ）を有して構成されるものである。
【００４１】
ホスト装置のオペレーティングシステムで動作するプログラムとしてアプリケーションやプリンタドライバがある。アプリケーションＪ０００１はプリンタで印刷する画像データを作成する処理を実行する。この画像データもしくはその編集等がなされる前のデータは種々の媒体を介してＰＣに取り込むことができる。本実施形態のＰＣは、先ずデジタルカメラで撮像した例えばＪＰＥＧ形式の画像データをＣＦカードによって取り込むことができる。また、スキャナで読み取った例えばＴＩＦＦ形式の画像データやＣＤ−ＲＯＭに格納される画像データをも取り込むことができる。さらには、インターネットを介してウエブ上のデータを取り込むことができる。これらの取り込まれたデータは、ＰＣのモニタに表示されてアプリケーションＪ０００１を介した編集、加工等がなされ、例えばｓＲＧＢ規格の画像データＲ、Ｇ、Ｂが作成される。そして、印刷の指示に応じてこの画像データがプリンタドライバに渡される。
【００４２】
本実施形態のプリンタドライバはその処理として、前段処理Ｊ０００２、後段処理Ｊ０００３、γ補正Ｊ０００４、ハーフトーニングＪ０００５、および印刷データ作成Ｊ０００６を有している。前段処理Ｊ０００２は色域（Ｇａｍｕｔ）のマッピングを行う。本実施形態の前段処理Ｊ０００２は、ｓＲＧＢ規格の画像データＲ、Ｇ、Ｂによって再現される色域を、本プリントシステムのプリンタによって再現される色域内に写像する関係を内容とする３次元ＬＵＴを用い、これに補間演算を併用して８ビットの画像データＲ、Ｇ、Ｂをプリンタの色域内のデータＲ、Ｇ、Ｂに変換するデータ変換を行う。後段処理Ｊ０００３は、上記色域のマッピングがなされたデータＲ、Ｇ、Ｂに基づき、このデータが表す色を再現するインクの組み合わせに対応した色分解データＹ、Ｍ、Ｃ、Ｋ、ｌｃ、ｌｍ、Ｒ、Ｇを求める処理を行う。本実施形態では、この処理は前段処理と同様３次元ＬＵＴに補間演算を併用して行う。γ補正Ｊ０００４は、後段処理Ｊ０００３によって求められた色分解データの各色のデータごとにその階調値変換を行う。具体的には、本システムで用いるプリンタの各色インクの階調特性に応じた１次元ＬＵＴを用いることにより、上記色分解データがプリンタの階調特性に線形的に対応づけられるような変換を行う。ハーフトーニングＪ０００５は、８ビットの色分解データＹ、Ｍ、Ｃ、Ｋ、ｌｃ、ｌｍ、Ｒ、Ｇそれぞれについて４ビットのデータに変換する量子化を行う。本実施形態では、誤差拡散法を用いて８ビットデータを４ビットデータに変換する。この４ビットデータは、記録装置におけるドット配置のパターン化処理における配置パターンを示すためのインデックスとなるデータである。最後に、印刷データ作成処理Ｊ０００６によって、上記４ビットのインデックスデータを内容とする印刷イメージデータに印刷制御情報を加えた印刷データを作成する。なお、上述したアプリケーションおよびプリンタドライバの処理は、それらのプログラムに従ってＣＰＵにより行われる。その際、プログラムはＲＯＭもしくはハードディスクから読み出されて用いられ、また、その処理実行に際してＲＡＭがワークエリアとして用いられる。
【００４３】
記録装置は、データ処理に関してドット配置パターン化処理Ｊ０００７およびマスクデータ変換処理Ｊ０００８を行う。ドット配置パターン化処理Ｊ０００７は、実際の印刷画像に対応する画素ごとに、印刷イメージデータである４ビットのインデックスデータ（階調値情報）に対応したドット配置パターンに従ってドット配置を行う。このように、４ビットデータで表現される各画素に対し、その画素の階調値に対応したドット配置パターンを割当てることで、画素内の複数のエリア各々にドットのオン・オフが定義され、そして１画素内の各エリアごとに「１」または「０」の吐出データ（２値データ）が配置される。このようにして得られる１ビットの吐出データはマスクデータ変換処理Ｊ０００８によってマスク処理がなされる。すなわち、記録ヘッドによる所定幅の走査領域の記録を複数回の走査で完成するための各走査の吐出データを、それぞれの走査に対応したマスクを用いた処理によって生成する。走査ごとの吐出データＹ、Ｍ、Ｃ、Ｋ、ｌｃ、ｌｍ、Ｒ、Ｇは、適切なタイミングでヘッド駆動回路Ｊ０００９に送られ、これにより、記録へッドＪ００１０が駆動されて吐出データに従ってそれぞれのインクが吐出される。なお、記録装置における上述のドット配置パターン化処理やマスクデータ変換処理は、それらに専用のハードウエア回路を用い記録装置の制御部を構成するＣＰＵの制御の下に実行される。なお、これらの処理がプログラムに従ってＣＰＵにより行われてもよく、また、上記処理がＰＣにおける例えばプリンタドライバによって実行されるものでもよく、本発明を適用する上でこれら処理の形態が問われないことは以下の説明からも明らかである。
【００４４】
以上説明した本実施形態のプリンタは、特色インクとしてレッド、グリーンを用いるものであり、これら特色インクは、基本色インクであるイエロー、マゼンタ、シアンのうちの２つの混色で作られる２次色の同じ色相の色よりも高い彩度および明度を表現できるものであることが好ましいが、これには限定されず、上記２次色よりも高い明度もしくは高い彩度の少なくとも一方を表現できるインクであればよい。すなわち、本実施形態において好適に用いることができる「特色」とは、ＣＩＥ−Ｌ＊ａ＊ｂ＊色空間において、マゼンタ、イエロー、シアンの基本色記録剤のうちの任意の２つの記録剤の組み合わせにより記録媒体上に表現される色再現領域よりも明度あるいは彩度の少なくとも一方が高く、且つ上記任意の２つの記録剤の組み合わせにより表現される色再現領域内の色相角を示す色のことを指す。更に、上記色再現領域よりも高い明度および彩度を表現できる色であれば尚好ましい。
【００４５】
また、本実施形態の特色インクレッドは、例えば、モニタなどのｓＲＧＢ規格の入力画像データＲ、Ｇ，Ｂが再現できる色空間より高い彩度または明度の内少なくともひとつ以上を実現することを可能とするものである。なお、本実施形態では、記録剤としてインクを用いるプリンタについて説明するが、トナーなどの他の記録剤を用いるプリンタ、複写機などに対してもインクに固有の説明を除いて妥当なものであることは、以下の説明からも明らかである。
【００４６】
また、本明細書では、記録剤であるインクについてＣｙａｎ、ＬｉｇｈｔＣｙａｎ、Ｙｅｌｌｏｗ、Ｍａｇｅｎｔａ、ＬｉｇｈｔＭａｇｅｎｔａ、Ｂｌａｃｋ，Ｒｅｄ、Ｇｒｅｅｎなど英語表記またはシアン、ライトシアン、イエロー、マゼンタ、ライトマゼンタ、ブラック、レッド、グリーン、ブルーなど片仮名表記で表し、色もしくはそのデータ、また色相をＣ、ｌｃ、Ｍ、ｌｍ、Ｙ、Ｋ、Ｒ、Ｇ、Ｂなど英大文字の１字もしくはそれと英小文字１字との組み合わせで表すものとする。すなわち、Ｃはシアン色またはそのデータないし色相を、Ｍはマゼンタ色またはそのデータないし色相を、Ｙはイエロー色またはそのデータないし色相を、Ｋはブラック色またはそのデータないし色相を、Ｒはレッド色またはそのデータないし色相を、Ｇはグリーン色またはそのデータないし色相を、Ｂはブルー色またはそのデータないし色相を、それぞれ表すものとする。なお、紙白は、ＷｈｉｔｅやＷと表記する。
【００４７】
さらに、本明細書において「画素」とは、階調表現できる最少単位のことであり、複数ビットの多値データの画像処理（上記前段、後段、γ補正、ハーフトーニング等の処理）の対象となる最少単位である。なお、後述のようにハーフトーニング処理では、１つの画素は２×４、または２×８等のＭ×Ｎのマスで構成されるパターンに対応し、この１画素内の各マスはエリアと定義する。この「エリア」はドットのオン・オフが定義される最少単位である。これに関連して、上記前段処理、後段処理、γ補正にいう「画像データ」は処理対象である画素の集合を表しており、各画素が本実施形態では８ビットの階調値を内容とするデータであり、ハーフトーニングにいう「画素データ」は処理対象である画素データそのものを表しており、本実施形態のハーフトーニングでは、上記の８ビットの階調値を内容とする画素データが４ビットの階調値を内容とする画素データ（インデックスデータ）に変換される。
【００４８】
以下、上述した本実施形態のプリントシステムの処理ブロックもしくは要素について詳細に説明する。
【００４９】
（前段処理）
本実施形態のＪ０００２の前段処理は、図３にて前述したように、ＬＵＴを用いた格子点データの読み出しおよびそれに基づく補間処理によって、アプリケーションからの８ｂｉｔ入力データＲ、Ｇ、Ｂを変換し、適切な再現色が得られる色補正データ（＝後段Ｒ’、Ｇ’、Ｂ’データ）を生成する。ここでは、例えばｓＲＧＢモニタの色再現などの所望の写真画質の色再現を得るために、ガマットマッピング技術を使用して、後段処理以下によって実現される図５に破線および実線で示されている特色システムにおけるプリンタの色再現域を、Ｌ＊ａ＊ｂ＊などの均等色空間上において、適切な色目標に結びつけるカラーマッチングを行う。ここで使用するガマットマッピング技術、テーブルの補間のための補間技術としては、公知のものを適宜使用すればよい。また前段処理の方式として、必ずしもテーブル形式である必要はなく、適切な線形、非線形な色補正関数によって前段処理を行ってもよい。
【００５０】
（後段処理）
本実施形態の後段処理は、図３にて前述したように、ＬＵＴを用いた格子点データの読み出しおよびそれに基づく補間処理によって、入力データＲ’、Ｇ’、Ｂ’を変換し色分解データＣ、Ｍ、Ｙ、Ｋ、ｌｃ、ｌｍ、Ｒ、Ｇを生成する。図４にその概要が示されるＬＵＴはその格子点データとして、以下で説明する階調値ないし色域を実現するべく色分解データを格納したものである。
【００５１】
図５は、本実施形態の色分解データの全体によって再現される色域（Ｇａｍｕｔ）を模式的に示す図であり、ＣＩＥＬ＊ａ＊ｂ＊空間における１つのａ＊ｂ＊平面を表している。
【００５２】
同図において、実線で示される６角形（ＣＭＹＲＧＢの６色相で囲まれる領域）は、本実施形態で用いるＣｙａｎ、ＬｉｇｈｔＣｙａｎ、Ｙｅｌｌｏｗ、Ｍａｇｅｎｔａ、ＬｉｇｈｔＭａｇｅｎｔａおよびＢｌａｃｋの各インクによって表現できる色域を示し、また、破線はこれらインクに加えて本実施形態の特色インクＲｅｄおよびＧｒｅｅｎを用いたとき表現できる拡大された色域を示している。この色域において、色相Ｒｓ、Ｇｓはそれぞれ特色インクＲｅｄ、Ｇｒｅｅｎの色相である。これから明らかなように、本実施形態の特色インクは、その色相Ｒｓ、Ｇｓが、それぞれ色相ＹとＲの間、色相ＧとＹの間に存在するように選択されるものである。また、本実施形態で用いる特色インクＲｅｄ、Ｇｒｅｅｎは、その詳細が後述されるように、それぞれ特色インクを用いない非特色系インクシステムで実現される同じ色相の色と比較して、より高い明度および彩度の色域を実現できるものである。本明細書では、特色記録剤の「彩度が高い」または「明度が高い」とは、特にことわらない限りこの意味で用いる。このように高い彩度および明度によって、上記インクシステムを用いる場合の色域より拡大された色域を再現することができる。以下では、本発明の一実施形態に係わる特色インクＲｅｄおよびＧｒｅｅｎがどのように用いられ、すなわち、ＬＵＴの格子点にＲｅｄインクに対応した色分解データＲ、Ｇｒｅｅｎインクに対応した色分解データＧがそれぞれどのように設定され、その結果、どのように色域が拡大されるかについて詳述する。前述のように特色インクシステムにおける色再現範囲は従来から特色記録剤の色再現特性によるところが大きい。そこでまず、本実施形態で使用するＲｅｄインク、およびＧｒｅｅｎインクとその色再現特性について述べる。なお、以下で色再現特性について記述する場合には、特に断わらない限り、記録ヘッドのインク吐出量が図２５の点線で示される製造ばらつきの中心値に相当するヘッドを使用した場合について述べる。なお、図２５は、吐出量の製造ばらつきを示したものであり、点線で示される吐出量中心よりも右側に位置する場合は吐出量が比較的多いヘッドであることを示し、逆に吐出量中心よりも左側に位置する場合は吐出量が比較的少ないヘッドであることを示している。
【００５３】
〔インク特性について〕
［インク組成］
本発明の第１実施形態に好ましく適用できる基本色であるイエロー、マゼンタ、シアンおよびブラックのインクと、特色であるレッドおよびグリーンインクは、必須の構成要件として色材を含む。
【００５４】
第１実施形態において基本色（イエロー、マゼンタおよびシアンの三原色にブラックを加えたもの）のインクに用いる色材としては染料もしくは顔料を用いることができる。中でも、染料は明度の高い色の再現に優れるために好適に用いることができる。同じく特色（レッド、グリーンおよびブルー）のインクに用いる色材としても、染料もしくは顔料を用いることができる。中でも、染料は明度の高い色の再現に優れるために好適に用いることができる。
【００５５】
とりわけ、色材が記録媒体表面に凝集するインク（顔料系のインクはその傾向が強い）よりも、付着したインクが記録媒体に浸透して行くインク（染料系のインクはその傾向が強い）を用いることが強く好ましい。前者では後から付着した最上部のインク層で入射光がほとんど反射されてしまうのに対し、後者では入射光が記録媒体内部に形成される各色インク層で反射されるため、立体感および透明感を訴える効果が期待できるからである。
【００５６】
第１実施形態において用いる基本色インクおよび特色インクの色材の具体例としては以下のものが挙げられ、上記条件に適合するものを選択することができる。
【００５７】
シアン色材
Ｃ．Ｉ．ダイレクトブルー：１、１５、２２、２５、４１、７６、７７、８０、８６、９０、９８、１０６、１０８、１２０、１５８、１６３、１６８、１９９、２２６、３０７
Ｃ．Ｉ．アシッドブルー：１、７、９、１５、２２、２３、２５、２９、４０、４３、５９、６２、７４、７８、８０、９０、１００、１０２、１０４、１１２、１１７、１２７、１３８、１５８、１６１、２０３、２０４、２２１、２４４
イエロー色材
Ｃ．Ｉ．ダイレクトイエロー：８、１１、１２、２７、２８、３３、３９、４４、５０、５８、８５、８６、８７、８８、８９、９８、１００、１１０、１３２、１７３
Ｃ．Ｉ．アシッドイエロー：１、３、７、１１、１７、２３、２５、２９、３６、３８、４０、４２、４４、７６、９８、９９
マゼンタ色材
Ｃ．Ｉ．ダイレクトレッド：２、４、９、１１、２０、２３、２４、３１、３９、４６、６２、７５、７９、８０、８３、８９、９５、１９７、２０１、２１８、２２０、２２４、２２５、２２６、２２７、２２８、２２９、２３０
Ｃ．Ｉ．アシッドレッド：６、８、９、１３、１４、１８、２６、２７、３２、３５、４２、５１、５２、８０、８３、８７、８９、９２、１０６、１１４、１１５、１３３、１３４、１４５、１５８、１９８、２４９、２６５、２８９
Ｃ．Ｉ．フードレッド：８７、９２、９４
Ｃ．Ｉ．ダイレクトバイオレット１０７
この他に、特許文献４に記載されている構造の化合物等も用いることができる。
【００５８】
ブラック色材
Ｃ．Ｉ．ダイレクトブラック：１７、１９、２２、３１、３２、５１、６２、７１、７４、１１２、１１３、１５４、１６８、１９５
Ｃ．Ｉ．アシッドブラック：２、４８、５１、５２、１１０、１１５、１５６
Ｃ．Ｉ．フードブラック１、２
カーボンブラック
この他に特許文献５に記載されている構造の化合物等も用いることができる。
【００５９】
レッド色材
Ｃ．Ｉ．アシッドオレンジ７、１０、３３、５６、６７、７４、８８、９４、１１６、１４２
Ｃ．Ｉ．アシッドレッド１１１、１１４、２６６、３７４
Ｃ．Ｉ．ダイレクトオレンジ２６、２９、３４、３９、５７、１０２、１１８
Ｃ．Ｉ．フードイエロー３
Ｃ．Ｉ．リアクティブオレンジ１、４、５、７、１２、１３、１４、１５、１６、２０、２９、３０、８４
Ｃ．Ｉ．ディスパースオレンジ１、３、１１、１３、２０、２５、２９、３０、３１、３２、４７、５５、５６
または、上記イエロー色材とマゼンタ色材を適切に混合したもの等も用いることができる。
【００６０】
グリーン色材
Ｃ．Ｉ．ダイレクトブルー：１、１５、２２、２５、４１、７６、７７、８０、８６、９０、９８、１０６、１０８、１２０、１５８、１６３、１６８、１９９、２２６、３０７
Ｃ．Ｉ．アシッドブルー：１、７、９、１５、２２、２３、２５、２９、４０、４３、５９、６２、７４、７８、８０、９０、１００、１０２、１０４、１１２、１１７、１２  Ｃ．Ｉ．フードイエロー３
または、下記色材を適切に混合したもの等も用いることができる。
【００６１】
Ｃ．Ｉ．アシッドグリーン５、６、９、１２、１５、１６、１９、２１、２５、２８、８１、８４
Ｃ．Ｉ．ダイレクトグリーン２６、５９、６７
Ｃ．Ｉ．フードグリーン３
Ｃ．Ｉ．リアクティブグリーン５、６、１２、１９、２１
Ｃ．Ｉ．ディスパースグリーン６、９
なお、ライトシアンの色材は、シアンの色材と同じものを用いてもよいし、異なるものを用いても良く、同時に組み合わせて使用するシアンに対して相対的に色材濃度が低いインクで且つその他記録、回復上の条件に適合するものを適宜使用することができる。また、ライトマゼンタについてもライトシアンと略同様である。
【００６２】
さらに必要に応じて、例えばパーソナルユースのインクジェット記録装置で用いるインクでは、キャリア成分としての水のほか、信頼性の面から乾燥防止のための水溶性有機溶剤や保湿剤、界面活性剤、ｐＨ調整剤、防腐剤などを含むものとすることができる。
【００６３】
本実施形態では、好適な色材の一例として上記の色材を示すが、本発明が有効となる色材の組み合わせは上記に限られるものではなく、上記以外の色材を用いても良い。
【００６４】
［インクの色再現特性］
以下、本実施形態で用いるＲｅｄインクの色再現特性について、Ｍａｇｅｎｔａ，ＬｉｇｈｔＭａｇｅｎｔａ及びＹｅｌｌｏｗインクを混合して使用する非特色系における色再現特性と対比しつつ詳述する。
【００６５】
図１２（ａ）は、図４のＷ（ＲＧＢ＝０ｘＦＦＦＦＦＦ）−Ｒ（ＲＧＢ＝０ｘＦＦ００００）ラインでの色分解を示す図であり、図１２（ｂ）は、この色分解テーブルによって実現される色再現をＬ＊（明度）−Ｃ＊（彩度）平面状にあらわしたものである。
【００６６】
従来の非特色系のインクシステムを用いて、図１２（ａ）に破線で示されるＲｅｄインクが使用されるときの色相、明度ライン（図１２（ｂ）の破線）に極力近づけるようにするためには、図１２（ａ）に実線で示されるＭａｇｅｎｔａ，ＬｉｇｈｔＭａｇｅｎｔａ及びＹｅｌｌｏｗのように構成する。このときの特色システム（Ｒｅｄ）と非特色システム（Ｍ，ｌｍ、Ｙ）での色再現域は図１２（ｂ）のそれぞれ破線、実線のようになることから、特色インクを使用することによって非特色インクによっては到達し得ない高明度且つ高彩度な色再現が得られることがわかる。更にこの特色インク（Ｒｅｄ）を使用することによって、図１２（ｂ）に一点鎖線で示すポジフィルムの色再現域を概ねカバーする色再現域を実現している。
【００６７】
図１３（ａ）は、図４のＷ（ＲＧＢ＝０ｘＦＦＦＦＦＦ）−Ｇ（ＲＧＢ＝０ｘ００ＦＦ００）ラインでの色分解を示す図であり、図１３（ｂ）は、この色分解テーブルによって実現される色再現をＬ＊（明度）−Ｃ＊（彩度）平面状にあらわしたものである。
【００６８】
同様にＧｒｅｅｎインクの色再現特性については、図１３（ａ）に破線で示されるＧｒｅｅｎインクが使用される色相、明度ライン（（図１３（ｂ）の破線）に極力近づけるようにするためには、図１３（ａ）に実線で示されるＣｙａｎ，ＬｉｇｈｔＣｙａｎ及びＹｅｌｌｏｗのように構成する。このときの特色システム（Ｇｒｅｅｎ）と非特色システム（Ｇ，ｌｃ、Ｙ）での色再現域は図１３（ｂ）のそれぞれ破線、細実線のようになることから、特色インクを使用することによって非特色インクによっては到達し得ない高彩度な色再現が得られる。しかし、このＧｒｅｅｎインクを使用することによる色再現上の効果はＲｅｄインクの使用によるものと比べて相対的に小さく、かつ、目的としている、図１３（ｂ）に一点鎖線で示すポジフィルムの色再現範囲に到達できていないばかりか、ポジフィルムの色再現範囲と比較的大きな隔たりが存在することがわかる。
【００６９】
この図１３（ｂ）の破線で示される色再現域は、図２５に示した吐出量中心のヘッドを用いてＧｒｅｅｎインクを吐出し、その最大打ち込み量を他色インクの最大打ち込み量と同じに設定したときの色再現域である。従って、この図１３（ｂ）によれば、色再現範囲の拡大効果を期待できるＧｒｅｅｎインクを加えたとしても、そのＧｒｅｅｎインクを他色インクと同じ打ち込み量に設定したのでは、ポジフィルムの色再現範囲には到底及ばず、ポジフィルムの色再現範囲に近づけるという目的を十分には達成できていないことが分かる。
【００７０】
また、先の図２５でも述べた通り、記録ヘッドの吐出量には製造ばらつきが存在する。従って、非特色系プリンタにおいて、図２５の吐出量中心よりも右側に位置する吐出量大のヘッドがＣｙａｎおよびＹｅｌｌｏｗ用のヘッドとして使用される場合もあれば、その一方で、特色系プリンタにおいて、図２５の吐出量中心よりも左側に位置する吐出量小のヘッドがＧｒｅｅｎ、ＣｙａｎおよびＹｅｌｌｏｗ用のヘッドとして使用される場合もある。この場合、それぞれの色再現域をａ＊ｂ＊平面で示すと、図６中の「非特色系（吐出量大）」に対応した太線、「Ｇインクを使用する系（吐出量小）」に対応した丸点線になることから、両者の色再現範囲に大差はない。更に、特色系プリンタで用いられるヘッドが吐出量中心のヘッドであったとしても、その色再現域は図６中の「Ｇインクを使用する系（吐出量中心）」に対応した破線になるだけであり、依然として、吐出量大の非特色系プリンタの色再現範囲とはそれほどの大差はない。同様のことは図１３（ｂ）からも把握でき、吐出量中心のヘッドが用いられる特色系での色再現範囲（図１３（ｂ）の破線で示される色再現範囲）は、吐出量大のヘッドが用いられる非特色系での色再現範囲（図１３（ｂ）の太線で示される色再現範囲）と大きな差異はない。このように吐出量ばらつきが存在するが故に、特色インクを使用する特色系であってもその色再現範囲が従来の非特色系での色再現範囲とあまり変わらない場合が発生し、製造ばらつきによっては、ユーザーに特色系システムのメリットを十分に提供できない場合も考えられる。
【００７１】
そこで、本発明では、図１３（ａ）のようにＧｒｅｅｎインクを他色インクよりも多量に使用するように構成している。詳しくは、Ｇｒｅｅｎインクの単位領域あたりの最大打ち込み量を他色インクよりも多く設定している。こうすることで、グリーン領域の色再現域を図１３（ｂ）の一点鎖線のように拡大することができ、ポジフィルムの色再現範囲に非常に近い高彩度な色再現を得ることが可能となる。
【００７２】
〔後段処理で使用される色分解テーブル〕
以上のインク色再現特性を踏まえた、本実施形態の後段色処理で使用される色分解テーブルの構成について説明する。以下特色インク（本実施形態ではＲｅｄインク及びＧｒｅｅｎインク）を使用する特徴的な部分についてのみ記載し、その他の部分については公知の非特色系（たとえばＣＭＹＫｌｃｌｍの６色系）と同様としている。
【００７３】
本実施形態においては、まず、図４に示す色空間全体について、実線及び破線で示されるラインのそれぞれについて１次元の色分解テーブルを設定し、それ以外の部分については、例えば特許文献８に開示されているような公知のテーブル補間技術を用いて補完してそれぞれの格子点における値を求めている。
【００７４】
〔Ｒｅｄインクが使用される領域での色分解〕
まず、Ｒｅｄインクを使用した色分解について説明する。
【００７５】
Ｒｅｄインクは図４のＷ（ＲＧＢ＝０ｘＦＦＦＦＦＦ）−Ｒ（ＲＧＢ＝０ｘＦＦ００００）−Ｋ（０ｘ００００００）ライン、Ｙ（ＲＧＢ＝０ｘＦＦＦＦ００）−Ｒ（ＲＧＢ＝０ｘＦＦ００００）−Ｍ（０ｘ００ＦＦ）ラインとこれを補間して求められるＷＹＲＭ−Ｋの四角錘の領域に使用される。
【００７６】
Ｗ−Ｒ−Ｋラインでは、Ｒｅｄインクの高明度且つ高彩度な発色を生かすために図７のように白（Ｗ）点からＲｅｄ点（ＲＧＢ＝０ｘＦＦ００００）に向かってＲｅｄインクを順次増加させ、Ｒｅｄ点から黒（Ｋ）点間では、Ｒｅｄインクを急速に減らしつつ明度が低いＭｇｅｎｔａ、Ｙｅｌｌｏｗインクを多用するようにしている。
【００７７】
また、Ｙ−Ｒ−Ｍラインについては、図８のようにＹｅｌｌｏｗ点（ＲＧＢ＝０ｘＦＦＦＦ００）からＲｅｄインクの発色効果が期待されるＲｅｄ点に向かってＲｅｄインクを多用し、Ｒｅｄ点からＭａｇｅｎｔａ（ＲＧＢ＝０ｘＦＦ００ＦＦ）点に向かってＲｅｄインクを減じている。このようにすることで、図５に示すようにａ＊ｂ＊平面における色相Ｙ−Ｒｓ−Ｒ間において、実線で示される従来の非特色システムでの色再現に対して、破線のように色域拡大を行い得る色分解テーブルを構成することができる。
【００７８】
〔Ｇｒｅｅｎインクが使用される領域での色分解〕
次に本発明の特徴であるＧｒｅｅｎインクを他色（例えば上述のＲｅｄインクや、Ｃｙａｎインク、Ｍａｇｅｎｔａインク、Ｙｅｌｌｏｗインク）よりも多用する場合の色分解について詳述する。Ｇｒｅｅｎインクは図４のＷ（ＲＧＢ＝０ｘＦＦＦＦＦＦ）−Ｇ（ＲＧＢ＝０ｘ００ＦＦ００）−Ｋ（０ｘ００００００）ライン、Ｙ（ＲＧＢ＝０ｘＦＦＦＦ００）−Ｇ（ＲＧＢ＝０ｘ００ＦＦ００）−Ｃ（０ｘ００ＦＦＦＦ）ラインとこれを補間して求められるＷＹＧＣ−Ｋの四角錘の領域に使用される。
【００７９】
Ｗ−Ｇ−Ｋラインでは、Ｇｒｅｅｎインクの高彩度な発色を生かすために図９のように白（Ｗ）点からＧｒｅｅｎ点（ＲＧＢ＝０ｘ００ＦＦ００）に向かってＧｒｅｅｎインクを例えばＲｅｄインクなどで使用可能な単色の最大打ち込み量を超えて、かつ、記録用紙及び記録速度に依存するインク受容量（打ち込み総量）を超えない範囲で、順次増加させ、Ｇｒｅｅｎ点から黒（Ｋ）点間では、Ｇｒｅｅｎインクを減じていく。ここで図９のＧＲＥＥＮ点近傍でのＧｒｅｅｎインクの打ち込み量の遷移は、前述の図７のＲ点におけるＲｅｄインクとは異なり、ＧＲＥＥＮ点付近で山状となっているが、これはＧ−Ｋ間で補色となるｌｍ、Ｍ，Ｋインクの追加に伴って打ち込み総量上限いっぱいとなってしまうためにＧＲＥＥＮ点以下の暗部でＧｒｅｅｎインクの打ち込み量を減らしているためである。ここでのＧＲＥＥＮ点でのＧｒｅｅｎインクの打ち込み量は、図９および図１０に水平線で示されている他色インクでの出力可能な打ち込み量の最大値を越えて使用されていることがわかる。なお、図７および図８で示される最大打ち込み量は、図９および図１０では、水平線で示される打ち込み量に相当する。
【００８０】
このようにしてＧｒｅｅｎインクの最大打ち込み量を他色インクよりも多くしたときの色再現域は図１４の「Ｇ多量」のようになり、Ｇｒｅｅｎインク打ち込み量を他色インクと同じにしたときの色再現域（つまり、図１４の「Ｇ」で示される色再現域）と比べてプライマリ周辺で色域が拡大しており、よりポジフィルムの再現域に近くなっている。したがって打ち込み総量に対して余裕がある場合には、図９のＧＲＥＥＮ点のようにＧｒｅｅｎインクを山状に用いる必要は必ずしもなく、図７のＲｅｄインクと同様にＧＲＥＥＮ点以下一定を保ってもよい。
【００８１】
また、図９および図１０によれば、図４のＷＹＧＣ−Ｋの四角錘で示される色空間において、Ｇｒｅｅｎ領域での最大彩度を示すＧＲＥＥＮ点において、Ｇｒｅｅｎインクの他に、ＣａｙｎインクおよびＹｅｌｌｏｗインクを使用していることが分かる。これは以下の理由による。すなわち、先に説明した図５から明らかなように、本実施形態で使用しているＧｒｅｅｎインクの色相は色相Ｇより色相Ｙよりに寄っている。従って、ＧＲＥＥＮ点の記録をＧｒｅｅｎインク単体で行うと、図１１のＷ−ＣＧｓＹで囲まれる領域が表現できるのであるが、この場合、従来の非特色系システムで表現できていた領域（図１１のＷ−ＣＧＹで囲まれる領域）のうちの一部の領域（図１１のＧＣａで囲まれる領域）が表現できなくなってしまい、従来の非特色系を上回る色再現を色空間の略全域で確保することができなくなってしまう。そこで、本実施形態では、最大彩度のＧＲＥＥＮ点においてＧｒｅｅｎインクの他にＣｙａｎインクおよびＹｅｌｌｏｗインクを使用し、グリーンの最大彩度点Ｇｓ（ここでＧｓとは、色再現域をＣＩＥ  Ｌ＊ａ＊ｂ＊空間において所定の明度Ｌ＊で切断したときの断面であるａ＊ｂ＊平面上の領域Ｗ（Ｋ）ＧＧｓＹのＧ−Ｙ間における最大彩度点である）の色相を色相Ｇよりもシフトさせることで、図１１のＧＣａで囲まれる領域も表現できるようにしている。なお、Ｇｒｅｅｎインクの特性上、従来の非特色系での色再現範囲と比べて十分な色再現範囲が実現可能な場合には、このようにＧＲＥＥＮ点においてＣ及びＹインクを使用する必要は必ずしもなく、このような場合にはＧＲＥＥＮ点での打ち込み量に余裕が出ることから更に広範囲の色再現範囲を実現することが可能である。
【００８２】
なお本実施形態において使用するＧｒｅｅｎインクはＲｅｄインクに比して高明度領域での色域拡大効果が低いため、これを補う意味でＷ−Ｇ領域にＧｒｅｅｎインクの他、高明度部において、ＬｉｇｈｔＣｙａｎとＹｅｌｌｏｗを多用しているが、Ｇｒｅｅｎインクの色再現特性が高明度域で十分な色域拡大効果が得られるようなものであれば、このようにｌｃ、Ｙを多用する必要はなく、ＧＲＥＥＮ点より若干明るい位置から使用するようにしても良い。
【００８３】
また、Ｙ−Ｇ−Ｃラインについては、Ｙｅｌｌｏｗ点（ＲＧＢ＝０ｘＦＦＦＦ００）からＧｒｅｅｎインクの発色効果が期待されるＧｒｅｅｎ点に向かってＧｒｅｅｎインクを多用し、Ｇｒｅｅｎ点からＣｙａｎ（ＲＧＢ＝０ｘ００ＦＦＦＦ）点に向かってＧｒｅｅｎインクを減じている。このようにすることで、図５に示すようにａ＊ｂ＊平面における色相Ｙ−Ｇｓ−Ｃ間において、実線で示される従来の非特色システムでの色再現に対して、破線のように色域拡大を行い得る色分解テーブルを構成することができる。
【００８４】
以上のように所定の色相それぞれについて求められた格子点データを補間して他の格子点について格子点データ（色分解データ）を求めることにより、図３で前述した後段処理Ｊ０００３で用いるＬＵＴを作成することができる。
【００８５】
なお、本実施形態では特色インクを基本色の代わりに補色として使用しないようにしているが、特色を補色に使用する系についても、本発明を容易に適用することができる。
【００８６】
（ハーフトーン処理部）
以下に、ハーフトーン処理部Ｊ０００５について説明する。なお、以下の説明においては、複数ビットで表される多値データを処理する画像処理の対象となる最小の構成単位を画素と称し、当該画素に対応するデータを画素データと称することにする。なお、複数ビットで表される多値データの画像処理とは、図３に照らせば、例えば、ＲＧＢの８ビットデータをプリンタで用いるインク色に対応したＣＭＹＫｌｃｌｍＲＧそれぞれの８ビットデータに変換する処理を行う後段処理や、ＣＭＹＫｌｃｌｍＲＧの８ビットデータをＣＭＹＫｌｃｌｍＲＧの４ビットデータに量子化する処理を行うハーフトーン処理等のことである。また、別の見方をすれば、「画素」とは、階調表現可能な最小単位のことであり、複数ビットの階調値情報を有するものである。
【００８７】
また、本実施形態のハーフトーン処理部Ｊ０００５では、ＣＭＹＫｌｃｌｍＲＧの２５６値の多値濃度情報（８ビットデータ）が、ＣＭＹＫｌｃｌｍＲについては９値の階調値情報（４ビットデータ）に変換され、Ｇについては１６値の階調値情報（４ビットデータ）に変換されるものであるが、以下では説明の便宜上、２５６値の多値濃度情報（８ビットデータ）を９値の階調値情報（４ビットデータ）に変換する例だけを説明する。
【００８８】
図１５は、本発明の実施形態に適用可能なハーフトーン処理部の構成を説明するためのブロック図である。図において、Ｂ０００１は画素データの入力端子、Ｂ０００２は累積誤差加算部、Ｂ０００３は入力画素データを２つ以上の階調数に変換する際の量子化閾値を設定する端子、Ｂ０００４は量子化部、Ｂ０００５は量子化誤差を演算する誤差演算部、Ｂ０００６は量子化誤差を拡散する誤差拡散部、Ｂ０００７は累積誤差を格納する累積誤差メモリ、およびＢ０００８は一連の処理後に形成された画素データの出力端子である。
【００８９】
ハーフトーン処理部の入力端子Ｂ０００１には、後述する画像走査部が全画像より選択した画素の、画素データが順次入力される。ハーフトーン処理部は、入力されて来た個々の画素データに対し順番に処理を施し、出力端子Ｂ０００８より１画素分ずつ出力していく構成となっている。
【００９０】
図１７は、画像走査部が行う、処理走査の様子を示した図である。画像走査部は、複数の画素が配列して構成される画像データから、処理を行うべき画素を１画素ずつ選択し、ハーフトーン処理部の入力端子Ｂ０００１に画素データを入力する。図において、各マス目は個々の画素を示し、Ｂ００１５は画像の左上端に位置する画素、Ｂ００１６は画像の右下端に位置する画素をそれぞれ示している。
【００９１】
画像の処理走査は、まず、画像領域の左上端の画素Ｂ００１５を選択する画素（以下着目画素とも言う）とすることで開始され、続いて、図の矢印の方向に右方向に１画素ずつ着目画素を切り替えながら処理を進めていく。最上端列の右端まで処理が終了すると、次に１段下の画素列の左端画素に着目画素を移す。このような順番で、図の矢印に沿って処理走査を進めて行き、最終画素となる右下端の画素Ｂ００１６まで処理が到達すると、本画像の処理走査は完了する。
【００９２】
図１６は、図１５のハーフトーン処理部が行う動作の工程を説明するためのフローチャートである。
【００９３】
処理が開始されると、上記画像走査部により、処理すべき画像データが入力される（ステップＢ０００９）。
【００９４】
次に、累積誤差加算部Ｂ０００２において、入力された画素データに対し、累積誤差メモリＢ０００７に格納された、画素位置に対応する累積誤差値が加算される（ステップＢ００１０）。
【００９５】
図１８は、累積誤差メモリＢ０００７に格納されている、データおよびデータの格納形態を説明するための図である。累積誤差メモリＢ０００７には、１つの記憶領域Ｅ０とＷ個の記憶領域Ｅ（ｘ）（ｘ＝１〜Ｗの整数）がある。ここで、Ｗは処理対象となっている画像データの横方向の画素数を表している。また、それぞれの領域には、注目画素に適用される量子化誤差Ｅ（ｘ）が格納されている。なお、量子化誤差の値は、後述する方法によって得られるものであるが、処理開始当初は全ての領域において、初期値０にて初期化されるものとする。
【００９６】
ステップＢ００１０において、累積誤差加算部Ｂ０００２では、入力された画素データに対し、当該画素の横方向の位置ｘ（０＜ｘ≦Ｗ）に対応した誤差メモリＥ（ｘ）の値が加算される。すなわち、入力端子Ｂ０００１に入力された画素データをＩ、ステップＢ００１０による累積誤差加算後の画素データをＩ’とすると、
Ｉ’＝Ｉ＋Ｅ（ｘ）
となる。
【００９７】
続くステップＢ００１１では、累積誤差加算後の画素データＩ’と閾値設定端子Ｂ０００３により入力された閾値とを比較し、量子化処理を行う。本実施形態では、８つの閾値と累積誤差加算後の画素データＩ’とを比較することにより、量子化後の画像データを９段階に振り分けて、出力端子Ｂ０００８に送る出力画素データの値を決定するものとする。すなわち、累積誤差加算部Ｂ０００２から入力された画素データの値が０から２５５の範囲の整数値とすれば、出力階調値Ｏは次式により決定される。
Ｏ＝０        （Ｉ’＜１６）              ・・・（式１）
Ｏ＝３２      （１６≦Ｉ’＜４８）        ・・・（式２）
Ｏ＝６４      （４８≦Ｉ’＜８０）        ・・・（式３）
Ｏ＝９６      （８０≦Ｉ’＜１１２）      ・・・（式４）
Ｏ＝１２８    （１１２≦Ｉ’＜１４４）    ・・・（式５）
Ｏ＝１６０    （１４４≦Ｉ’＜１７６）    ・・・（式６）
Ｏ＝１９２    （１７６≦Ｉ’＜２０８）    ・・・（式７）
Ｏ＝２２４    （２０８≦Ｉ’＜２４０）    ・・・（式８）
Ｏ＝２５５    （Ｉ’≧２４０）            ・・・（式９）
ここで、説明の都合上、各出力階調値Ｏに対し以下のような名称を与える。すなわち、Ｏ＝０をレベル０、Ｏ＝３２をレベル１、Ｏ＝６４をレベル２、Ｏ＝９６をレベル３、Ｏ＝１２８をレベル４、Ｏ＝１６０をレベル５、Ｏ＝１９２をレベル６、Ｏ＝２２４をレベル７、そしてＯ＝２２５をレベル８とそれぞれ称することにする。
【００９８】
次に、誤差演算部Ｂ０００５において、累積誤差加算後の画素データＩ’と出力画素値Ｏとの差分、すなわち量子化誤差Ｅを算出する（ステップＢ００１２）。
Ｅ＝Ｉ’−Ｏ        ・・・（式１０）
更に、ステップＢ００１３では、誤差拡散部Ｂ０００６において、着目している画素の横方向位置ｘに応じて、以下のように誤差の拡散処理を行う。すなわち、記憶領域Ｅ０およびＥ（ｘ）に格納すべき量子化誤差を、以下の処理に従って算出し、累積誤差メモリに格納する。
【００９９】
Ｅ（ｘ＋１）←Ｅ（ｘ＋１）＋Ｅ×７／１６    （ｘ＜Ｗ）・・・（式１１）
Ｅ（ｘ―１）←Ｅ（ｘ―１）＋Ｅ×３／１６    （ｘ＞１）・・・（式１２）
Ｅ（ｘ）←Ｅ０＋Ｅ×５／１６                （１＜ｘ＜Ｗ）・・・（式１３）
Ｅ（ｘ）←Ｅ０＋Ｅ×８／１６                （ｘ＝１）・・・（式１４）
Ｅ（ｘ）←Ｅ０＋Ｅ×１３／１６              （ｘ＝Ｗ）・・・（式１５）
Ｅ０←Ｅ×１／１６                          （ｘ＜Ｗ）・・・（式１６）
Ｅ０←０                                    （ｘ＝Ｗ）・・・（式１７）
以上で、入力端子Ｂ０００１に入力された１画素分の誤差拡散処理が完了する。
【０１００】
ステップＢ００１４では、ステップＢ０００９〜ステップＢ００１３の各処理が、画像の全画素に対して施されたか否かを判定する。すなわち、画像走査部が選択した画素が、図１７のＢ００１６まで達したか否かを判断し、Ｂ００１６まで達していない場合には、矢印の方向に着目画素を１つ分進め、再びステップＢ０００９に戻る。
【０１０１】
全画素に対して処理が行われたと判断された場合、本実施形態のハーフトーン処理は完了する。
【０１０２】
なお、本実施形態では、以上の処理を、インクの色ごとに行うものとする。
【０１０３】
図２０は、ハーフトーン処理前の所定の階調値を有する画像と、ハーフトーン処理後の量子化された画像の例を示したものである。図において、イエロー（Ｙ）用に作成された画像データＢ００１７に対しハーフトーン処理を施したものをＢ００１９、特色インクであるレッド（Ｒ）用に作成された画像データＢ００１８に対しハーフトーン処理を施したものをＢ００２０、としてそれぞれ示している。
【０１０４】
Ｂ００１７では、全画素における画素データが１０となっている。これに対しハーフトーン処理を施した後の画像Ｂ００１９では、Ｏ＝０（レベル０）であるＢ００２１と、Ｏ＝３２（レベル１）であるＢ００２２との、２つのレベル（濃度）の画素が、一様に分散されて存在している状態となっている。
【０１０５】
また、Ｂ００１８では、全画素における画素データが１００となっている。これに対しハーフトーン処理を施した後の画像Ｂ００２０では、Ｏ＝９６（レベル４）であるＢ００２３と、Ｏ＝１２８（レベル５）であるＢ００２４との、２つのレベル（濃度）の画素が、一様に分散されて存在している状態となっている。
【０１０６】
いずれも、オリジナルの画像においては、全画素で同一レベルであった画素データの値が、ハーフトーン処理後には複数のレベルの画素が分散されており、画像全体で捉えた場合に入力時のデータ値が保存されている構成となっている。
【０１０７】
（印刷データの生成）
以下に、印刷データの生成処理Ｊ０００６について説明する。
【０１０８】
ハーフトーン処理を施した画像データに対しては、次に所定の体裁に整えて、実際に記録装置に入力させるための印刷データを生成する。
【０１０９】
図１９は、印刷データの構成図を示した図である。図のように、印刷データは、印刷の制御を司る印刷制御情報および印刷イメージ情報（印刷イメージデータともいう）から構成されている。更に印刷制御情報は、その画像を記録する「メディア情報」、印刷の「品位情報」、および給紙方法等のような「その他制御情報」とから構成されている。
【０１１０】
メディア情報では、記録の対象となる用紙の種類が記述されており、普通紙、光沢紙、コート紙などのうち、いずれか１種類の用紙が規定されている。品位情報では印刷の品位が記述されており、高速印刷、高品位印刷のいずれかの品位が規定されている。なお、これらの印刷制御情報はホストＰＣにてユーザが指定した内容に基づいて形成されるものである。更に、印刷イメージ情報（印刷イメージデータ）では前述のハーフトーン処理によって生成された画像データが記述さているものとする。以上、ハーフトーン処理が施され、印刷データの生成がなされた印刷データは、次に、記録装置本体のドット配置パターン化処理へ供給される。
【０１１１】
尚、上記ハーフトーン処理および印刷データの生成における説明においては、記録装置本体ではなくホスト装置にインストールされたプリンタドライバによって処理されることを前提に説明してきたが、本実施形態はこれに限定されるものではない。ハーフトーン処理自体が記録装置内部で処理される構成であっても本発明の効果は同等に得られるものである。
【０１１２】
（ドット配置パターン化処理）
以下にドット配置パターン化処理Ｊ０００７について説明する。
【０１１３】
上述したハーフトーン処理では、ＣＭＹＫｌｃｌｍＲＧの２５６値の多値濃度情報（８ビットデータ）を９値（ＣＭＹＫｌｃｌｍＲ）、１６値（Ｇ）の階調値情報（４ビットデータ）までにレベル数を下げている。しかし、実際に本実施形態のインクジェット記録装置が記録できる情報は、インクを記録するか否かの２値情報である。ドット配置パターン化処理では、０〜８の多値レベル（ＣＭＹＫｌｃｌｍＲ）または０〜１５の多値レベル（Ｇ）をドットの有無を決定する２値レベルまで低減する役割を果たす。具体的には、このドット配置パターン化処理Ｊ０００７では、ハーフトーン処理部からの出力値であるレベル０〜８または、０〜１５の４ビットデータで表現される各画素ごとに、その画素の階調値（レベル０〜８または、０〜１５）に対応したドット配置パターンを割当て、これにより１画素内の複数のエリア各々にドットのオン・オフを定義し、１画素内の各エリアごとに「１」または「０」の１ビットの吐出データ（２値データ）を配置する。
【０１１４】
図２１は、本実施形態のドット配置パターン化処理で変換する、入力レベル０〜８（ＣＭＹＫｌｃｌｍＲ）に対する出力パターンを示している。図の左に示した各レベル値は、ハーフトーン処理部からの出力値であるレベル０〜レベル８に相当している。右側に配列した縦２エリア×横４エリア（ＣＭＹＫｌｃｌｍＲ）で構成される各マトリクスの領域は、ハーフトーン処理で出力された１画素の領域に対応するものである。また、１画素内の各エリアは、ドットのオン・オフが定義される最小単位に相当するものである。
【０１１５】
図において、丸印を記入したエリアがドットの記録を行うエリアを示しており、レベル数が上がるに従って、記録するドット数も１つずつ増加している。従って、ＣＭＹＫｌｃｌｍＲについては、１画素に対し最大で８個のドットが配置されることになる。本実施形態においては、最終的にこのような形でオリジナル画像の濃度情報が反映されていることになる。（４ｎ）〜（４ｎ＋３）は、ｎに１以上の整数を代入することにより、入力画像の左端からの横方向の画素位置を示しており、その下に示した各パターンは、同一の入力レベルにおいても画素位置に応じて互いに異なる複数のパターンが用意されていることを示している。すなわち、同一のレベルが入力された場合にも、記録媒体上では（４ｎ）〜（４ｎ＋３）に示した４種類のドット配置パターンが巡回されて割当てられる構成となっているのである。
【０１１６】
図２１においては、縦方向を記録ヘッドの吐出口が配列する方向、横方向を記録ヘッドの走査方向としている。よって、上述のように同一レベルに対しても様々なドット配列で記録できる構成にしておくことは、ドット配置パターンの上段に位置するノズルと下段に位置するノズルとで吐出回数を分散させたり、記録装置特有の様々なノイズを分散させるという効果が得られる。
【０１１７】
同様に、レベル０〜１５の１６値を表現するグリーンには、不図示の縦２エリア×横８エリア（Ｇ）で構成されるマトリクス型のドット配置パターンを使用している。レベル数が０〜１５へ上がるに従って、記録するドット数も１つずつ増加させる。従って、そして、Ｇについては、１画素に対し最大で１６個のドットが配置されることになる。
【０１１８】
このように本実施形態では、ＣＭＹＫｌｃｌｍＲについては１画素を８階調で表現し、その際の最大打ち込みドット数を８個に設定し、一方、Ｇについては１画素を１６階調で表現し、その際の最大打ち込みドット数を１６個に設定することで、グリーンインクの単位領域（ここでは、１画素）あたりの最大打ち込み量を他色のインクよりも多くしている。
【０１１９】
ところで、グリーンインクの単位領域（ここでは、１画素）あたりの最大打ち込み量を他色のインクよりも多くするだけであれば、グリーンと他色で階調数を異ならせる必要はなく、同じ階調数であってもよい。例えば、グリーンについても他色と同様で８階調とし、各階調につき他色よりも２倍のドット数を配置すればよい。つまり、グリーンの８階調については、低階調側からそれぞれ０、２、４、６、８、１０、１２、１４、１６個のドット配置パターンを対応させるのである。本発明では、このような形態、すなわち、最大打ち込み量が相対的に多い色（ここでは、グリーン）と最大打ち込み量が相対的に少ない色（ここでは、グリーン以外の色）とで階調数を同じにした形態も含むものである。しかしながら、最大打ち込み量が多いにもかかわらず階調数を同じにすると、隣接する階調間の濃度差が大きくなり、階調飛びによる擬似輪郭が発生しやすくなる。従って、本実施形態のように、最大打ち込み量が相対的に少ない色に比べ、最大打ち込み量が相対的に多い色についてその階調数も相対的に多くした方が擬似輪郭の発生を抑制でき、高画質を得るのには適している。
【０１２０】
以上説明したドット配列パターン化処理を終了した段階で、記録媒体に対するドットの配列パターンが全て決定され、１画素内の各エリアごとに「１」または「０」の１ビットの各色吐出データが配置される。その後は、図３にて説明したように、１ビットの各色吐出データがマスクデータ変換処理Ｊ０００８によってマスク処理がなされて各走査の各色吐出データが生成され、走査ごとの吐出データＹ、Ｍ、Ｃ、Ｋ、ｌｃ、ｌｍ、Ｒ、Ｇは、適切なタイミングでヘッド駆動回路Ｊ０００９に送られ、これにより、記録へッドＪ００１０が駆動されて吐出データに従ってそれぞれのインクが吐出される。
【０１２１】
（記録ヘッド構成）
以下に本実施形態で適用するヘッドカートリッジＨ１０００の構成について説明する。
【０１２２】
本実施形態におけるヘッドカートリッジＨ１０００は、記録ヘッドＨ１００１と、インクタンクＨ１９００を搭載する手段、およびインクタンクＨ１９００から記録ヘッドにインクを供給するための手段を有しており、キャリッジＭ４０００に対して着脱可能に搭載される。なお、記録ヘッドの概観については、図の見易さのために１色分を省略した７色用の記録ヘッドの図２２および図２３を用いて説明し、記録ヘッドのノズル構成については、本実施形態に即した８色分について示した図２４を用いて詳述する。
【０１２３】
図２２は、本実施形態で適用するヘッドカートリッジＨ１０００に対し、インクタンクＨ１９００を装着する様子を示した図である。本実施形態の記録装置は、ライトシアン、ライトマゼンタ、シアン、マゼンタ、イエロー、ブラック、レッド、グリーンの８色のインクによって画像を形成し、従ってインクタンクＨ１９００も８色分が独立に用意されている。そして、図に示すように、それぞれがヘッドカートリッジＨ１０００に対して着脱自在となっている。尚、インクタンクＨ１９００の着脱は、キャリッジＭ４０００にヘッドカートリッジＨ１０００が搭載された状態で行えるようになっている。
【０１２４】
図２３は、ヘッドカートリッジＨ１０００の分解斜視図を示したものである。図において、ヘッドカートリッジＨ１０００は、第１の記録素子基板Ｈ１１００および第２の記録素子基板Ｈ１１０１、第１のプレートＨ１２００、第２のプレートＨ１４００、電気配線基板Ｈ１３００、タンクホルダーＨ１５００、流路形成部材Ｈ１６００、フィルターＨ１７００、シールゴムＨ１８００などから構成されている。
【０１２５】
第１の記録素子基板Ｈ１１００および第２の記録素子基板Ｈ１１０１はＳｉ基板であり、その片面にインクを吐出するための複数の記録素子（ノズル）がフォトリソ技術により形成されている。各記録素子に電力を供給するＡＩ等の電気配線は、成膜技術により形成されており、個々の記録素子に対応した複数のインク流路もまた、フォトリソグラフィ技術により形成されている。さらに、複数のインク流路にインクを供給するためのインク供給口が裏面に開口するように形成されている。
【０１２６】
図２４は、第１の記録素子基板Ｈ１１００および第２の記録素子基板Ｈ１１０１の構成を説明するための正面拡大図である。図２４の太実線は、それぞれ異なるインク色に対応する記録素子の列（以下ノズル列ともいう）であり、第１の記録素子基板Ｈ１１００には、ライトシアンインクの供給されるノズル列、シアンインクの供給されるノズル列、マゼンタインクの供給されるノズル列、およびイエローインクの供給されるノズル列の４色分のノズル列が構成されている。第２の記録素子基板Ｈ１１０１には、ライトマゼンタの供給されるノズル列、レッドインクの供給されるノズル列、ブラックインクの供給されるノズル列、グリーンインクの供給されるノズル列の４色分のノズル列が構成されている。
【０１２７】
各ノズル列は、記録媒体の搬送方向に１２００ｄｐｉ（ｄｏｔ／ｉｎｃｈ；参考値）の間隔で並ぶ７６８個のノズルによって構成され、約２ピコリットルのインク滴を吐出させる。各ノズル吐出口における開口面積は、およそ１００平方μｍ２に設定されている。また、第１の記録素子基板Ｈ１１００および第２の記録素子基板Ｈ１１０１は第１のプレートＨ１２００に接着固定されており、ここには、第１の記録素子基板Ｈ１１００および第２の記録素子基板Ｈ１１０１にインクを供給するためのインク供給口Ｈ１２０１が形成されている。
【０１２８】
さらに、第１のプレートＨ１２００には、開口部を有する第２のプレートＨ１４００が接着固定されており、この第２のプレートＨ１４００は、電気配線基板Ｈ１３００と第１の記録素子基板Ｈ１１００および第２の記録素子基板Ｈ１１０１とが電気的に接続されるように、電気配線基板Ｈ１３００を保持している。
【０１２９】
電気配線基板Ｈ１３００は、第１の記録素子基板Ｈ１１００および第２の記録素子基板Ｈ１１０１に形成されている各ノズルからインクを吐出するための電気信号を印加するものであり、第１の記録素子基板Ｈ１１００および第２の記録素子基板Ｈ１１０１に対応する電気配線と、この電気配線端部に位置し記録装置本体からの電気信号を受け取るための外部信号入力端子Ｈ１３０１とを有している。外部信号入力端子Ｈ１３０１は、タンクホルダーＨ１５００の背面側に位置決め固定されている。
【０１３０】
一方、インクタンクＨ１９００を保持するタンクホルダーＨ１５００には、流路形成部材Ｈ１６００が例えば超音波溶着により固定され、インクタンクＨ１９００から第１のプレートＨ１２００に通じるインク流路Ｈ１５０１を形成している。
【０１３１】
インクタンクＨ１９００と係合するインク流路Ｈ１５０１のインクタンク側端部には、フィルターＨ１７００が設けられており、外部からの塵埃の侵入を防止し得るようになっている。また、インクタンクＨ１９００との係合部にはシールゴムＨ１８００が装着され、係合部からのインクの蒸発を防止し得るようになっている。
【０１３２】
さらに、前述のようにタンクホルダーＨ１５００、流路形成部材Ｈ１６００、フィルターＨ１７００及びシールゴムＨ１８００から構成されるタンクホルダー部と、第１の記録素子基板Ｈ１１００および第２の記録素子基板Ｈ１１０１、第１のプレートＨ１２００、電気配線基板Ｈ１３００及び第２のプレートＨ１４００から構成される記録ヘッド部Ｈ１００１とを、接着等で結合することにより、ヘッドカートリッジＨ１０００が構成されている（インクジェット装置の機構部の概略構成）。
【０１３３】
次に、上述した記録ヘッドＨ１００１を搭載して記録を行えるインクジェット記録装置の機構部の概略構成を説明する。本実施形態における記録装置本体は、各機構の役割から、給紙部、用紙搬送部、キャリッジ部、排紙部、クリーニング部およびこれらを保護し、意匠性を持たす外装部から構成されている。以下、これらの概略を説明していく。
【０１３４】
図２６は、記録装置の斜視図である。また、図２７および図２８は、記録装置本体の内部機構を説明するための図であり、図２７は右上部からの斜視図、図２８は記録装置本体の側断面図をそれぞれ示したものである。
【０１３５】
記録装置において給紙を行う際には、まず給紙トレイＭ２０６０を含む給紙部において記録媒体の所定枚数のみが給紙ローラＭ２０８０と分離ローラＭ２０４１から構成されるニップ部に送られる。送られた記録媒体はニップ部で分離され、最上位の記録媒体のみが用紙搬送部に搬送される。用紙搬送部に送られた記録媒体は、ピンチローラホルダＭ３０００及びペーパーガイドフラッパーＭ３０３０に案内されて、搬送ローラＭ３０６０とピンチローラＭ３０７０とのローラ対に送られる。搬送ローラＭ３０６０とピンチローラＭ３０７０とからなるローラ対は、ＬＦモータＥ０００２の駆動により回転され、この回転により記録媒体がプラテンＭ３０４０上を搬送される。
【０１３６】
キャリッジ部は、記録ヘッドＨ１００１を取り付けるためのキャリッジＭ４０００を有しており、キャリッジＭ４０００は、ガイドシャフトＭ４０２０およびガイドレールＭ１０１１によって支持されている。ガイドシャフトＭ４０２０は、シャーシＭ１０１０に取り付けられており、記録媒体の搬送方向に対して直角方向にキャリッジＭ４０００を往復走査させるように案内支持している。また、キャリッジＭ４０００は、シャーシＭ１０１０に取り付けられたキャリッジモータＥ０００１によりタイミングベルトＭ４０４１を介して駆動される。更に、キャリッジＭ４０００には、電気基板Ｅ００１４から記録ヘッドＨ１００１へ、駆動信号を伝えるための不図示のフレキシブルケーブルＥ００１２が接続されている。このような構成において記録媒体に画像形成する場合、搬送方向（カラム方向）に対しては、搬送ローラＭ３０６０およびピンチローラＭ３０７０からなるローラ対が、記録媒体を搬送して位置決めする。また、走査方向（ラスタ方向）に対しては、キャリッジモータＥ０００１によりキャリッジＭ４０００を上記搬送方向と垂直な方向に移動させて、記録ヘッドＨ１００１を目的の画像形成位置に配置させる。位置決めされた記録ヘッドＨ１００１は、電気基板Ｅ００１４からの信号に従って、記録媒体に対しインクを吐出する。記録ヘッドＨ１００１についての詳細な構成は後述するが、本実施形態の記録装置においては、記録ヘッドＨ１００１により記録を行いながらキャリッジＭ４０００が走査する記録主走査と、搬送ローラＭ３０６０により記録媒体が搬送される副走査とを交互に繰り返すことにより、記録媒体上に画像を形成していく構成となっている。
【０１３７】
最後に画像形成された記録媒体は、排紙部で第１の排紙ローラＭ３１１０と拍車Ｍ３１２０とのニップに挟まれ、搬送されて排紙トレイＭ３１６０に排出される。
【０１３８】
なお、クリーニング部において、画像記録前後の記録ヘッドＨ１００１をクリーニングする目的のために、キャップＭ５０１０を記録ヘッドＨ１００１のインク吐出口に密着させた状態で、ポンプＭ５０００を作用させると、記録ヘッドＨ１００１から不要なインク等が吸引されるようになっている。また、キャップＭ５０１０を開けた状態で、キャップＭ５０１０に残っているインクを吸引することにより、残インクによる固着およびその後の弊害が起こらないように配慮されている。
【０１３９】
（変形例）
なお、本実施形態では、特色インクの単位領域あたりの付与量を他色インクに比して多くする記録方法として、相対的に高デューティー記録が可能な高解像度ドット配置パターンを用いることで実現しているが、この手法に限定されるものではない。例えば、ドット・オン・ドットで記録する配置パターンを使用する手法や、記録時に使用するマスクパターンの記録率を高める手法、記録ヘッドへの印加エネルギーを変化させて吐出量変調を行う手法などの他の手法も使用することが可能である。特色インクの単位領域あたりの付与量を他色インクに比して多くする手法であれば、本実施形態において適用可能である。
【０１４０】
また、本実施形態では、ＧｒｅｅｎおよびＲｅｄの２種類の特色インクのうち、Ｇｒｅｅｎインクについてだけ最大付与量を多くする形態を採っているが、Ｒｅｄインクの発色性が不十分である等の理由でＲＥＤインクについても最大打ち込み量を多くした方が色再現範囲の拡大効果がある場合には、勿論、Ｒｅｄインクについてもその最大付与量を基本色インクよりも多く設定してもよい。また、本実施形態とは逆に、Ｇｒｅｅｎインクの発色性が十分で、Ｒｅｄインクの発色性が不十分であるならば、勿論、Ｒｅｄインクについてだけ最大打ち込み量を多く設定する形態も考えられ得る。また、本実施形態では、ライトシアン、ライトマゼンタの淡インクの最大打ち込み量をシアン、マゼンタの濃インクと同じにしているが、これら淡インクの最大打ち込み量を濃インクより多く設定してもよい。例えば、淡インクの最大打ち込み量をグリーンインクと同様に設定し、より具体的には、ＣＭＹＫＲについては１画素を８階調で表現し、その際の最大打ち込みドット数を８個に設定し、一方、Ｇｌｃｌｍについては１画素を１６階調で表現し、その際の最大打ち込みドット数を１６個に設定するのである。こうすることで、淡インクが使用される低濃度領域での粒状感の低減を図ることができる。
【０１４１】
また、本実施形態では、ＣＭＹＫｌｃｌｍＲＧの８色構成の特色システムについて、発色が十分でない特色インクＧを他色に比べて最大付与量を多くして記録する場合について述べたが、本発明は、インクシステムとしては基本色と少なくとも１色以上の特色を使用するシステムであればよく、また特色として使用するインクについても発色の良いＲｅｄインクと発色の不十分なＧｒｅｅｎインクに限られるものではなく、任意の特色を任意数使用したシステムにも、本実施形態を拡張、変更し、容易に適用することができる。
【０１４２】
（第２の実施形態）
上述した第１の本実施形態ではシアン、ライトシアン、イエロー、マゼンタ、ライトマゼンタ、ブラックに、特色としてレッド、グリーンを加えた計８色のインクを用いているが、本実施形態では、ライトシアンおよびライトマゼンタの淡インクは使用せず、その変わりに特色としてブルーのインクを加えている。つまり、本実施形態は、シアン、イエロー、マゼンタ、ブラックに、特色としてレッド、グリーン、ブルーを加えた計７色のインクを用いるシステムに関する。
【０１４３】
システムの構成およびその要素は、インクの種類に応じて第１の実施形態とは適宜変更されるが、基本的には同じである。例えば、後段処理で用いられる色分解テーブルは、プリンタにおいて用いられるインクがシアン、イエロー、マゼンタ、ブラック、レッド、グリーン、ブルーであることに応じて、これらＣＭＹＫＲＧＢに対応した色分解データが生成される構成に変更され、また、インクタンクについても勿論、ＣＭＹＫＲＧＢの７色に対応した７つのタンクが記録ヘッドと連結される構成に変更されるが、これら変更は当業者にとっての変更可能な範疇であるため、ここでは説明を省略する。以下では、本実施形態の特徴部分についてのみ説明する。
【０１４４】
本実施形態では、ブルーおよびグリーンの特色インクについて、その他の色（シアン、イエロー、マゼンタ、ブラック、レッド）よりも最大打ち込み量を多くした点を特徴としている。
【０１４５】
すなわち、グリーンインクと同様、ブルーインクも、その最大打ち込み量を基本色インクの最大打ち込み量と同じに設定しただけでは、ポジフィルムの色再現範囲には及ばず、ポジフィルムの色再現範囲に近づけるという目的を十分には達成できない傾向がある。このような理由から、ブルーについても最大打ち込み量を多くしている。
【０１４６】
具体的には、ブルー領域の所定の明度でのａ＊ｂ＊平面における最大彩度点でのブルーインクの打ち込み量が基本色のインクの最大打ち込み量よりも多くなるように構成している。ＣＭＹＫＲについては１画素を８階調で表現し、その際の最大打ち込みドット数が８個となり、ＧＢについては１画素を１６階調で表現し、その際の最大打ち込みドット数が１６個となるように、ドット配置パターンを設定している。
【０１４７】
この構成によれば、色空間上のレッド領域およびグリーン領域に加え、ブルー領域においても、色再現域をポジフィルムの色再現域に近づけることができ、新たに加えた特色の効果を最大限に発揮させることができる。
【０１４８】
（その他の実施形態）
上述した第１〜第２の実施形態では、記録剤としてインクを用いたインクシステムについて説明したが、本発明で適用できる記録剤はインクに限られるものではなく、例えば、記録剤としてトナーを用いた電子写真システムにも適用可能である。
【０１４９】
また、上述した第１〜第２の実施形態では、色域を拡大するための特色の記録剤としてＲｅｄ、Ｇｒｅｅｎの記録剤の組み合わせ、あるいはＲｅｄ、Ｇｒｅｅｎ、Ｂｌｕｅの記録剤の組み合わせを用いる構成について説明したが、本発明はこれに限定されるものではない。本発明では、特色の記録剤としては、少なくとも１色を用いる形態であればよく、Ｇｒｅｅｎの記録剤のみ、Ｒｅｄの記録剤のみ、Ｂｌｕｅの記録剤のみ、あるいはＲｅｄ、Ｂｌｕｅの記録剤の組み合わせ等用いる形態であってもよい。いずれにせよ、基本色の記録剤に比して、少なくとも１つの特色の記録剤の単位領域あたりの最大付与量が多ければ、本発明の範囲に含まれるものである。なお、いくつかの変更を、本発明の教示から逸脱することなく前述の実施形態に適用することができることを強調しておく。特に、本開示に含まれる全ての事項、または添付図面に示された全ての事項は、例示のためのものであると解釈すべきであり、限定のためのものであると解釈してはならない。
【図面の簡単な説明】
【０１５０】
【図１】インクジェット記録装置およびポジティブフィルムのＧａｍｕｔをＣＩＥ−Ｌ＊ａ＊ｂ＊のａ＊ｂ＊平面上にプロットした図である。
【図２】（ａ）および（ｂ）は、図Ｉ１のＧａｍｕｔデータの算出態様を説明するための図である。
【図３】本発明の第１の実施形態にかかるプリントシステムの構成を示すブロック図である。
【図４】色分解ＬＵＴの概念を示す図である。
【図５】第１実施形態の色分解データの全体によって再現される色域（Ｇａｍｕｔ）を模式的に示す図である。
【図６】特色記録ノズル、基本色記録ノズルそれぞれのインク吐出量が変化した場合の、第１実施形態の色分解データの全体によって再現される色域（Ｇａｍｕｔ）を、模式的に示す図である。
【図７】第１実施形態の色分解ＬＵＴにおけるＷＨＩＴＥ−ＲＥＤ−ＢＬＡＣＫライン上の格子点データの色分解データを示す図である。
【図８】第１実施形態の色分解ＬＵＴにおけるＹＥＬＬＯＷ−ＲＥＤ−ＭＡＧＥＮＴＡライン上の格子点データの色分解データを示す図である。
【図９】第１実施形態の色分解ＬＵＴにおけるＷＨＩＴＥ−ＧＲＥＥＮ−ＢＬＡＣＫライン上の格子点データの色分解データを示す図である。
【図１０】第１実施形態の色分解ＬＵＴにおけるＹＥＬＬＯＷ−ＧＲＥＥＮ−ＣＹＡＮライン上の格子点データの色分解データを示す図である。
【図１１】図５に示した色相Ｇのプライマリ色を特色Ｇｒｅｅｎインク単色で構成する場合と、ＣｙａｎインクおよびＹｅｌｌｏｗインクからなる２次色で構成する場合との色再現域の違いをＬ＊ａ＊ｂ＊空間の明度Ｌ＊と彩度Ｃ＊の平面で模式的に表した図である。
【図１２】（ａ）は、Ｒｅｄインク（破線）と、同等の色相および明度を再現する非特色系での色分解（細実線）を示す図である。（ｂ）は、（ａ）で示したＲｅｄインク（破線）によって再現される色再現域（破線）、（ａ）で示した非特色系での色分解（細実線）による色再現域（細実線）、対応する色相でのポジフィルムの再現域（一点鎖線）を明度（Ｌ＊）−彩度（Ｃ＊）平面状に示した模式的な比較図である。
【図１３】（ａ）は、Ｇｒｅｅｎインク（破線）と、同等の色相および明度を再現する非特色系での色分解（細実線）および本発明の特徴である特色インクを他色で記録可能な付与量を超えて付与する場合（２点鎖線）の色分解を示す図である。（ｂ）は、（ａ）で示したＧｒｅｅｎインク（破線）によって再現される色再現域（破線）、（ａ）で示した非特色系での色分解（細実線）による色再現域（細実線）、対応する色相でのポジフィルムの再現域（一点鎖線）、本発明の特徴である特色インクを他色で記録可能な打ち込み量を超えて打ち込む場合（２点鎖線）の色再現域、非特色系だが記録ノズルのインク吐出量が大きい場合の色再現域（太実線）を明度（Ｌ＊）−彩度（Ｃ＊）平面状に示した模式的な比較図である。
【図１４】ＷＨＩＴＥ−ＧＲＥＥＮ−Ｋラインについて、非特色系での色分解（細実線）による色再現域（細実線）、対応する色相でのポジフィルムの再現域（一点鎖線）、本発明の特徴である特色インクを他色で記録可能な付与量を超えて付与する場合（太破線）の色再現域、従来の特色インクを他色で記録可能な付与量と等量付与する場合（細破線）の色再現域を明度（Ｌ＊）−彩度（Ｃ＊）平面状に示した模式的な比較図である。
【図１５】本発明の第１の実施形態としてのハーフトーン処理部のブロック図である。
【図１６】図Ｂ２のハーフトーン処理部の動作を説明するフローチャートである。
【図１７】画像の走査の詳細を示す図である。
【図１８】累積誤差メモリの詳細を示す図である。
【図１９】印刷の制御を司る印刷制御情報および印刷イメージ情報（印刷イメージデータともいう）から構成される印刷データの構成を示した図である。
【図２０】ハーフトーン処理前の所定の階調値を有する画像と、ハーフトーン処理後の量子化された画像の例を示したものである。
【図２１】本発明の実施形態のドット配列パターン化処理で変換する入力レベルに対する出力パターンを示した図である。
【図２２】本発明の実施形態で適用したヘッドカートリッジにインクタンクを装着する状態示した斜視図である。
【図２３】本発明の第１の実施形態で適用したヘッドカートリッジの分解斜視図である。
【図２４】本発明の第１の実施形態で適用したヘッドカートリッジにおける記録素子基板上の記録ノズル列配置を示す正面図である。
【図２５】本発明の第１の実施形態で適用した記録ヘッドの記録ノズルの製造に伴って生じる吐出量分布を示す図である。
【図２６】本発明の第１の実施形態で適用可能な記録装置の斜視図である。
【図２７】本発明の第１の実施形態で適用可能な記録装置の機構部の斜視図である。
【図２８】本発明の第１の実施形態で適用可能な記録装置の断面図である。
【符号の説明】
【０１５１】
Ｊ０００１  アプリケーション
Ｊ０００２  前段処理
Ｊ０００３  後段処理
Ｊ０００４  γ補正
Ｊ０００５  ハーフトーニング
Ｊ０００６  印刷テデータの作成処理
Ｊ０００７  ドット配置パターン化処理
Ｊ０００８  マスクデータ変換処理
Ｊ０００９  ヘッド駆動回路
【図１】
2005212360.tif 000003
【図２】
2005212360.tif 000004
【図３】
2005212360.tif 000005
【図４】
2005212360.tif 000006
【図５】
2005212360.tif 000007
【図６】
2005212360.tif 000008
【図７】
2005212360.tif 000009
【図８】
2005212360.tif 000010
【図９】
2005212360.tif 000011
【図１０】
2005212360.tif 000012
【図１１】
2005212360.tif 000013
【図１２】
2005212360.tif 000014
【図１３】
2005212360.tif 000015
【図１４】
2005212360.tif 000016
【図１５】
2005212360.tif 000017
【図１６】
2005212360.tif 000018
【図１７】
2005212360.tif 000019
【図１８】
2005212360.tif 000020
【図１９】
2005212360.tif 000021
【図２０】
2005212360.tif 000022
【図２１】
2005212360.tif 000023
【図２２】
2005212360.tif 000024
【図２３】
2005212360.tif 000025
【図２４】
2005212360.tif 000026
【図２５】
2005212360.tif 000027
【図２６】
2005212360.tif 000028
【図２７】
2005212360.tif 000029
【図２８】
2005212360.tif 000030